(57)【要約】  本発明の実施形態は、アプリケーション層パラメータ情報を送信する方法、アプリケーション層パラメータ情報を受信する方法、並びに装置を開示する。本発明の実施形態では、ＵＥはＲＡＣモジュール及び送信モジュールを含む。ＲＡＣモジュールは、ＵＥのアプリケーション層、オペレーティングシステム層、又はベースバンド層に位置する。ＲＡＣモジュールは、第１情報を取得するよう構成され、第１情報は、ユーザ機器ＵＥのアプリケーション層パラメータ情報を含む。送信モジュールは、無線リソース制御ＲＲＣシグナリング又は無線インタフェースに対応するデータ無線ベアラＤＲＢを用いることにより、ＲＡＣモジュールにより取得された第１情報をネットワーク側装置へ送信するよう構成される。本発明の実施形態によると、ネットワーク側装置がユーザ機器側のアプリケーション層パラメータを取得し及び相応して調整又は動作を実行できるように、アプリケーション層パラメータ情報は、ネットワーク側装置とＵＥの上位層との間で交換される。これはユーザ経験を向上する。
2018527860.tif 000002
【特許請求の範囲】
【請求項１】
ユーザ機器であって、無線アクセスネットワーク・アクセス通信ＲＡＣモジュールと送信モジュールとを含み、前記ＲＡＣモジュールは、前記ＵＥのアプリケーション層、オペレーティングシステム層、又はベースバンド層に位置し、
前記ＲＡＣモジュールは、第１情報を取得するよう構成され、前記第１情報は前記ユーザ機器ＵＥのアプリケーション層パラメータ情報を含み、
前記送信モジュールは、無線リソース制御ＲＲＣシグナリング又は無線インタフェースに対応するデータ無線ベアラＤＲＢを用いることにより、前記ＲＡＣモジュールにより取得された前記第１情報を前記ネットワーク側装置へ送信するよう構成される、
ユーザ機器。
【請求項２】
前記ＲＡＣモジュールは、前記アプリケーション層に位置し、
前記送信モジュールは、具体的に、前記ＲＡＣモジュールを用いることにより、前記アプリケーション層と前記オペレーティングシステム層との間のアプリケーションプログラミングインタフェースＡＰＩを通じて、前記オペレーティングシステム層へ前記第１情報を転送し、前記オペレーティングシステム層において、ＡＴコマンド又はデータチャネルを用いることにより、前記ベースバンド層へ前記第１情報を転送し、前記ＲＲＣシグナリング又は前記無線インタフェースに対応する前記ＤＲＢを用いることにより、前記ベースバンド層から前記ネットワーク側装置へ前記第１情報を送信するよう構成される、
請求項１に記載のユーザ機器。
【請求項３】
前記送信モジュールは、具体的に、前記オペレーティングシステム層において、前記データチャネルを用いることにより、伝送制御プロトコル／インターネットプロトコルＴＣＰ／ＩＰ処理の実行された前記第１情報を前記ベースバンド層へ転送し、前記無線インタフェースに対応する前記ＤＲＢを用いることにより、前記ベースバンド層から前記ネットワーク側装置へ前記第１情報を送信するよう構成される、請求項２に記載のユーザ機器。
【請求項４】
前記ベースバンド層は、ＴＣＰプロキシモジュールを含み、
前記送信モジュールは、具体的に、前記データチャネルを用いることにより、前記オペレーティングシステム層において、ＴＣＰ／ＩＰプロトコル処理の実行された前記第１情報を前記ＴＣＰプロキシモジュールへ転送し、前記ベースバンド層において、前記ＴＣＰプロキシモジュールを用いることにより、前記第１情報を復元し、前記ＲＲＣシグナリングを用いることにより、前記ベースバンド層から前記ネットワーク側装置へ前記第１情報を送信するよう構成される、
請求項２に記載のユーザ機器。
【請求項５】
前記送信モジュールは、具体的に、前記オペレーティングシステム層において、前記データチャネルを用いることにより、ユーザデータグラムプロトコル／インターネットプロトコルＵＤＰ／ＩＰ処理の実行された前記第１情報を前記ベースバンド層へ転送し、前記無線インタフェースに対応する前記ＤＲＢを用いることにより、前記ベースバンド層から前記ネットワーク側装置へ前記第１情報をマルチキャストするよう構成される、請求項２に記載のユーザ機器。
【請求項６】
前記ベースバンド層は、ＵＤＰプロキシモジュールを含み、
前記送信モジュールは、具体的に、前記データチャネルを用いることにより、前記オペレーティングシステム層において、ＵＤＰ／ＩＰプロトコル処理の実行された前記第１情報を前記ＵＤＰプロキシモジュールへ転送し、前記ベースバンド層において、前記ＵＤＰプロキシモジュールを用いることにより、前記第１情報を復元し、前記ＲＲＣシグナリングを用いることにより、前記ベースバンド層から前記ネットワーク側装置へ前記第１情報を送信するよう構成される、
請求項２に記載のユーザ機器。
【請求項７】
前記送信モジュールは、具体的に、前記オペレーティングシステム層において、前記ＡＴコマンドを用いることにより、前記第１情報を前記ベースバンド層へ転送し、前記ＲＲＣシグナリングを用いることにより、前記ベースバンド層から前記ネットワーク側装置へ前記第１情報を送信するよう構成される、請求項２に記載のユーザ機器。
【請求項８】
ＲＡＣモジュールは、ソフトウェア方式で前記アプリケーション層において各アプリケーションに組み込まれ、前記ＲＡＣモジュールは、前記対応するアプリケーションのパラメータ情報を取得するよう構成される、又は、
前記ＲＡＣモジュールは、前記アプリケーション層にある独立型アプリケーションモジュールであり、前記アプリケーション層にある全てのアプリケーションのパラメータ情報を取得するよう構成される、
請求項１乃至７のいずれか一項に記載の方法。
【請求項９】
前記ＲＡＣモジュールは、前記オペレーティングシステム層に位置し、
前記ＲＡＣモジュールは、具体的に、前記ＡＰＩインタフェースを用いることにより、前記アプリケーション層から前記第１情報を取得するよう構成され、
前記送信モジュールは、具体的に、前記オペレーティングシステム層において、データチャネルを用いることにより、前記ベースバンド層へ前記第１情報を転送し、前記無線インタフェースに対応する前記ＤＲＢを用いることにより、前記ベースバンド層から前記ネットワーク側装置へ前記第１情報を送信するよう構成される、
請求項１に記載のユーザ機器。
【請求項１０】
前記ＲＡＣモジュールは、前記オペレーティングシステム層に位置し、
前記ＲＡＣモジュールは、具体的に、前記ＡＰＩインタフェースを用いることにより、前記アプリケーション層から前記第１情報を取得するよう構成され、
前記送信モジュールは、具体的に、前記オペレーティングシステム層において、ＡＴコマンドを用いることにより、前記ベースバンド層へ前記第１情報を転送し、前記ＲＲＣシグナリングを用いることにより、前記ベースバンド層から前記ネットワーク側装置へ前記第１情報を送信するよう構成される、
請求項１に記載のユーザ機器。
【請求項１１】
前記ＲＡＣモジュールは、前記ベースバンド層に位置し、
前記ＲＡＣモジュールは、前記アプリケーション層と前記ベースバンド層との間の層間インタフェースを用いることにより、前記アプリケーション層から前記第１情報を取得するよう構成され、前記層間インタフェースは、前記ベースバンド層と前記アプリケーション層との間の直接データ交換のために使用され、又は、
前記オペレーティングシステム層は、前記ＡＰＩインタフェースを用いることにより、前記アプリケーション層から前記第１情報を取得し、
前記ＲＡＣモジュールは、具体的に、ＡＴコマンドを用いることにより、前記オペレーティングシステム層から前記第１情報を取得するよう構成され、
前記送信モジュールは、具体的に、前記ベースバンド層において、前記ＲＲＣシグナリングを用いることにより、前記ネットワーク側装置へ前記第１情報を送信するよう構成される、
請求項１に記載のユーザ機器。
【請求項１２】
前記ＲＡＣモジュールは、前記ＵＥのトランスポート層パラメータ情報を取得するよう更に構成され、
前記第１情報は、前記ＵＥの前記トランスポート層パラメータ情報を更に含む、
請求項１乃至１１のいずれか一項に記載のユーザ機器。
【請求項１３】
前記ユーザ機器は、
前記ネットワーク側装置により送信された調整アプリケーション層パラメータ情報を受信するよう構成される受信モジュールと、
前記調整アプリケーション層パラメータ情報に従い前記ＵＥのアプリケーション動作を調整するよう構成される調整モジュールと、
を更に含む請求項１乃至１２のいずれか一項に記載のユーザ機器。
【請求項１４】
ネットワーク側装置であって、
ＲＲＣシグナリング又はＤＲＢベアラを用いることにより、ＵＥから第１情報を取得するよう構成される取得モジュールであって、前記第１情報は、前記ＵＥのアプリケーション層パラメータ情報を含む、取得モジュールと、
前記第１情報をパースするよう構成されるＲＡＣモジュールと、
調整アプリケーション層パラメータ情報を取得するために、現在ネットワーク状態に従い、前記パースされた第１情報を調整して、ＲＲＣシグナリング又はＤＲＢを用いることにより前記ＵＥへ前記調整アプリケーション層パラメータ情報をフィードバックする、又は前記第１情報を用いることによりアプリケーション動作を実行するよう構成される処理モジュールと、
を含むネットワーク側装置。
【請求項１５】
前記ネットワーク側装置は、基地局又はモバイルエッジコンピューティングＭＥＣエンティティである、請求項１４に記載の方法。
【請求項１６】
アプリケーション層パラメータ情報を送信する方法であって、前記方法は、
前記ＵＥにより、第１情報を取得するステップであって、前記第１情報は、前記ＵＥのアプリケーション層パラメータ情報を含む、ステップと、
前記ＵＥにより、ＲＲＣシグナリング又はＤＲＢを用いることにより、前記ネットワーク側装置へ前記第１情報を送信するステップと、
を含む方法。
【請求項１７】
前記ＵＥは、無線アクセスネットワーク・アクセス通信ＲＡＣモジュールを含み、前記ＲＡＣモジュールは、前記ＵＥのアプリケーション層、オペレーティングシステム層、又はベースバンド層に位置し、前記ＲＡＣモジュールは、前記第１情報を取得するよう構成される、
請求項１６に記載の方法。
【請求項１８】
前記ＲＡＣモジュールは、前記アプリケーション層に位置し、
前記ＵＥにより、前記ネットワーク側装置へ前記第１情報を送信する前記ステップは、
前記ＵＥにより、前記ＲＡＣモジュールを用いることにより、前記アプリケーション層と前記オペレーティングシステム層との間のＡＰＩインタフェースを通じて、前記オペレーティングシステム層へ前記第１情報を転送するステップと、
前記ＵＥにより、前記オペレーティングシステム層において、ＡＴコマンド又はデータチャネルを用いることにより、前記ベースバンド層へ前記第１情報を転送し、前記ＲＲＣシグナリング又は無線インタフェースに対応するＤＲＢを用いることにより、前記ベースバンド層から前記ネットワーク側装置へ前記第１情報を送信するステップと、
を含む、請求項１７に記載の方法。
【請求項１９】
前記ＵＥにより、前記オペレーティングシステム層において、前記ＡＴコマンド又はデータチャネルを用いることにより、前記ベースバンド層へ前記第１情報を転送し、前記ベースバンド層から前記ネットワーク側装置へ前記第１情報を送信する前記ステップは、
前記ＵＥにより、前記オペレーティングシステム層において、前記データチャネルを用いることにより、伝送制御プロトコル／インターネットプロトコルＴＣＰ／ＩＰ処理の実行された前記第１情報を前記ベースバンド層へ転送し、前記無線インタフェースに対応する前記ＤＲＢを用いることにより、前記ベースバンド層から前記ネットワーク側装置へ前記第１情報を送信するステップ、
を含む、請求項１８に記載の方法。
【請求項２０】
前記ベースバンド層は、ＴＣＰプロキシモジュールを含み、
前記ＵＥにより、前記オペレーティングシステム層において、ＡＴコマンド又はデータチャネルを用いることにより、前記ベースバンド層へ前記第１情報を転送し、前記ベースバンド層から前記ネットワーク側装置へ前記第１情報を送信する前記ステップは、
前記ＵＥにより、前記オペレーティングシステム層において、前記データチャネルを用いることにより、ＴＣＰ／ＩＰプロトコル処理の実行された前記第１情報を前記ＴＣＰプロキシモジュールへ転送するステップと、
前記ＵＥにより、前記ベースバンド層において、前記ＴＣＰプロキシモジュールを用いることにより、前記第１情報を復元し、前記ＲＲＣシグナリングを用いることにより、前記ベースバンド層から前記ネットワーク側装置へ前記第１情報を送信するステップと、
を含む、請求項１８に記載の方法。
【請求項２１】
前記ＵＥにより、前記オペレーティングシステム層において、前記ＡＴコマンド又はデータチャネルを用いることにより、前記ベースバンド層へ前記第１情報を転送し、前記ベースバンド層から前記ネットワーク側装置へ前記第１情報を送信する前記ステップは、
前記ＵＥにより、前記オペレーティングシステム層において、前記データチャネルを用いることにより、ユーザデータグラムプロトコル／インターネットプロトコルＵＤＰ／ＩＰ処理の実行された前記第１情報を前記ベースバンド層へ転送し、前記無線インタフェースに対応する前記ＤＲＢを用いることにより、前記ベースバンド層から前記ネットワーク側装置へ前記第１情報をマルチキャストするステップ、
を含む、請求項１８に記載の方法。
【請求項２２】
前記ベースバンド層は、ＵＤＰプロキシモジュールを含み、
前記ＵＥにより、前記オペレーティングシステム層において、前記ＡＴコマンド又はデータチャネルを用いることにより、前記ベースバンド層へ前記第１情報を転送し、前記ベースバンド層から前記ネットワーク側装置へ前記第１情報を送信する前記ステップは、
前記ＵＥにより、前記オペレーティングシステム層において、前記データチャネルを用いることにより、ＵＤＰ／ＩＰプロトコル処理の実行された前記第１情報を前記ＵＤＰプロキシモジュールへ転送するステップと、
前記ＵＥにより、前記ベースバンド層において、前記ＵＤＰプロキシモジュールを用いることにより、前記第１情報を復元し、前記ＲＲＣシグナリングを用いることにより、前記ベースバンド層から前記ネットワーク側装置へ前記第１情報を送信するステップと、
を含む、請求項１８に記載の方法。
【請求項２３】
前記ＵＥにより、前記オペレーティングシステム層において、前記ＡＴコマンド又はデータチャネルを用いることにより、前記ベースバンド層へ前記第１情報を転送し、前記ベースバンド層から前記ネットワーク側装置へ前記第１情報を送信する前記ステップは、
前記ＵＥにより、前記オペレーティングシステム層において、前記ＡＴコマンドを用いることにより、前記第１情報を前記ベースバンド層へ転送し、前記ＲＲＣシグナリングを用いることにより、前記ベースバンド層から前記ネットワーク側装置へ前記第１情報を送信するステップ、
を含む、請求項１８に記載の方法。
【請求項２４】
前記ＲＡＣモジュールは、前記オペレーティングシステム層に位置し、
前記ＵＥにより、前記ＲＡＣモジュールを用いることにより、前記第１情報を取得する前記ステップは、
前記ＲＡＣモジュールにより、前記ＡＰＩインタフェースを用いることにより、前記アプリケーション層から前記第１情報を取得するステップ、を含み、
前記ＵＥにより、前記ネットワーク側装置へ前記第１情報を送信する前記ステップは、
前記ＵＥにより、前記オペレーティングシステム層において、データチャネルを用いることにより前記ベースバンド層へ前記第１情報を転送し、無線インタフェースに対応するＤＲＢを用いることにより、前記ベースバンド層から前記ネットワーク側装置へ前記第１情報を送信するステップ、を含む、
請求項１７に記載の方法。
【請求項２５】
前記ＲＡＣモジュールは、前記オペレーティングシステム層に位置し、
前記ＵＥにより、前記ＲＡＣモジュールを用いることにより、前記第１情報を取得する前記ステップは、
前記ＲＡＣモジュールにより、前記ＡＰＩインタフェースを用いることにより、前記アプリケーション層から前記第１情報を取得するステップ、を含み、
前記ＵＥにより、前記ネットワーク側装置へ前記第１情報を送信する前記ステップは、
前記ＵＥにより、前記オペレーティングシステム層において、ＡＴコマンドを用いることにより前記ベースバンド層へ前記第１情報を転送し、前記ＲＲＣシグナリングを用いることにより、前記ベースバンド層から前記ネットワーク側装置へ前記第１情報を送信するステップ、を含む、
請求項１７に記載の方法。
【請求項２６】
前記ＲＡＣモジュールは前記ベースバンド層に位置し、
前記ＵＥにより、前記ＲＡＣモジュールを用いることにより、前記第１情報を取得する前記ステップは、
前記ＲＡＣモジュールにより、前記アプリケーション層と前記ベースバンド層との間の層間インタフェースを用いることにより、前記アプリケーション層から前記第１情報を取得するステップであって、前記層間インタフェースは、前記ベースバンド層と前記アプリケーション層との間の直接データ交換のために使用される、ステップ、を含み、又は、
前記ＵＥにより、前記ＲＡＣモジュールを用いることにより、前記第１情報を取得する前記ステップは、
前記ＵＥにより、前記オペレーティングシステム層において、前記ＡＰＩインタフェースを用いることにより、前記アプリケーション層から前記第１情報を取得するステップと、
前記ＲＡＣモジュールにより、ＡＴコマンドを用いることにより、前記オペレーティングシステム層から前記第１情報を取得するステップと、
を含み、
前記ＵＥにより、前記ネットワーク側装置へ前記第１情報を送信する前記ステップは、
前記ＵＥにより、前記ベースバンド層において、前記ＲＲＣシグナリングを用いることにより、前記ネットワーク側装置へ前記第１情報を送信するステップ、を含む、
請求項１７に記載の方法。
【請求項２７】
前記ＲＡＣモジュールは、前記ＵＥのトランスポート層パラメータ情報を取得するよう更に構成され、
前記第１情報は、前記ＵＥの前記トランスポート層パラメータ情報を更に含む、
請求項１７乃至２６のいずれか一項に記載の方法。
【請求項２８】
前記方法は、
前記ＵＥにより、前記ネットワーク側装置により送信された調整アプリケーション層パラメータ情報を受信するステップと、
前記ＵＥにより、前記調整アプリケーション層パラメータ情報に従い前記ＵＥのアプリケーション動作を調整するステップと、
を更に含む請求項１６乃至２７のいずれか一項に記載の方法。
【請求項２９】
アプリケーション層パラメータ情報を受信する方法であって、前記方法は、
前記ネットワーク側装置により、ＲＲＣシグナリング又はＤＲＢを用いることにより、ＵＥから第１情報を取得するステップであって、前記第１情報は、前記ＵＥのアプリケーション層パラメータ情報を含む、ステップと、
前記ネットワーク側装置により、前記第１情報をパースするステップと、
前記ネットワーク側装置により、調整アプリケーション層パラメータ情報を取得するために、現在ネットワーク状態に従い前記パースされた第１情報を調整して、前記調整アプリケーション層パラメータ情報を前記ＵＥにフィードバックする、又は、前記ネットワーク側装置により、前記第１情報を用いることによりアプリケーション動作を実行する、ステップと、
を含む方法。
【請求項３０】
前記ネットワーク側装置は、ＲＡＣモジュールを含み、前記ＲＡＣモジュールは前記第１情報をパースするよう構成される、請求項２９に記載の方法。
【請求項３１】
通信システムであって、ユーザ機器と、マスタｅＮｏｄｅＢと、セカンダリｅＮｏｄｅＢと、を含み、前記マスタｅＮｏｄｅＢ及び前記セカンダリｅＮｏｄｅＢは、前記ユーザ機器に同時に供することが可能であり、前記マスタｅＮｏｄｅＢ及び前記セカンダリｅＮｏｄｅＢの間には、シグナリング及びデータを交換するために使用されるＸ２インタフェースがあり、
前記ユーザ機器は、請求項１乃至１３のいずれか一項に記載のユーザ機器であり、
前記マスタｅＮｏｄｅＢは、前記ユーザ機器によりＲＲＣシグナリング又はＤＲＢを用いることにより送信された第１情報を取得し、前記Ｘ２インタフェースを用いることにより前記セカンダリｅＮｏｄｅＢへ前記第１情報を送信し、並びに、
前記セカンダリｅＮｏｄｅＢは、調整アプリケーションパラメータ情報を取得するために、現在ネットワーク状態に従い前記第１情報を調整し、前記Ｘ２インタフェースを用いることにより、前記調整アプリケーションパラメータ情報を前記マスタｅＮｏｄｅＢへ送信し、及び、
前記マスタｅＮｏｄｅＢは、ＲＲＣシグナリング又はＤＲＢを用いることにより、前記ＵＥへ前記調整アプリケーションパラメータ情報をフィードバックする、又は、
前記セカンダリｅＮｏｄｅＢは、前記第１情報を用いることにより、アプリケーション動作を実行する、
通信システム。
【発明の詳細な説明】
【技術分野】
【０００１】
本発明は、通信技術の分野に関し、特に、アプリケーション層パラメータ情報を送信する方法、アプリケーション層パラメータ情報を受信する方法、並びに装置に関する。
【背景技術】
【０００２】
ロングタームエボリューション（Long  Term  Evolution、ＬＴＥ）システムは、ユニバーサル・モバイル・テレコミュニケーション・システム（Universal  Mobile  Telecommunications  System、ＵＭＴＳ）技術標準の長期展開であり、第三世代パートナシッププロジェクト（The  ３rd  Generation  Partnership  Project、３ＧＰＰ）組織により開発されている。
【０００３】
図１に示すように、ＬＴＥ無線インタフェース・プロトコルスタック・アーキテクチャは、ＬＴＥネットワークアーキテクチャの中のデータフロー及びシグナリングフローの方向に従い、制御プレーン無線インタフェース・プロトコル・アーキテクチャ及びユーザプレーン無線インタフェース・プロトコル・アーキテクチャに分類される。現在、ＬＴＥシステムでは、ユーザ機器（User  Equipment、ＵＥ）と進化型ＮｏｄｅＢ（Evolved  Node−B、ｅＮＢ）との間のユーザプレーン無線インタフェース・プロトコルスタックは、最大限でもパケットデータ・コンバージェンス・プロトコル（Packet  Data  Convergence  Protocol、ＰＤＣＰ）層処理しか実装せず、制御プレーン無線インタフェース・プロトコルスタックは、最大限でも無線リソース制御（Radio  Resource  Control、ＲＲＣ）層処理しか実装しない。したがって、従来技術では、ｅＮＢとＵＥとの間で上位層（トランスポート層及び／又はアプリケーション層）情報交換が実施できない。
【発明の概要】
【０００４】
本発明の実施形態は、ネットワーク側装置がユーザ機器側のアプリケーション層パラメータ情報を取得し及び相応して調整又は動作を実行できるように、ネットワーク側装置とＵＥの上位層との間でアプリケーション層パラメータ情報を交換するために、アプリケーション層パラメータ情報を送信する方法、アプリケーション層パラメータ情報を受信する方法、及び装置を提供する。これはユーザ経験を向上する。
【０００５】
本発明の実施形態の第１の態様は、ユーザ機器であって、無線アクセスネットワーク・アクセス通信ＲＡＣモジュールと送信モジュールとを含み、前記ＲＡＣモジュールは、前記ＵＥのアプリケーション層、オペレーティングシステム層、又はベースバンド層に位置し、
前記ＲＡＣモジュールは、第１情報を取得するよう構成され、前記第１情報は前記ユーザ機器ＵＥのアプリケーション層パラメータ情報を含み、
前記送信モジュールは、無線リソース制御ＲＲＣシグナリング又は無線インタフェースに対応するデータ無線ベアラＤＲＢを用いることにより、前記ＲＡＣモジュールにより取得された前記第１情報を前記ネットワーク側装置へ送信するよう構成される、ユーザ機器を提供する。
【０００６】
本発明の実施形態の第１の態様を参照して、本発明の実施形態の第１の態様の第１の可能な実装では、
前記ＲＡＣモジュールは、前記アプリケーション層に位置し、
前記送信モジュールは、具体的に、前記ＲＡＣモジュールを用いることにより、前記アプリケーション層と前記オペレーティングシステム層との間のアプリケーションプログラミングインタフェースＡＰＩを通じて、前記オペレーティングシステム層へ前記第１情報を転送し、前記オペレーティングシステム層において、ＡＴコマンド又はデータチャネルを用いることにより、前記ベースバンド層へ前記第１情報を転送し、前記ＲＲＣシグナリング又は前記無線インタフェースに対応する前記ＤＲＢを用いることにより、前記ベースバンド層から前記ネットワーク側装置へ前記第１情報を送信するよう構成される。
【０００７】
本発明の実施形態の第１の態様の第１の可能な実装を参照して、本発明の実施形態の第１の態様の第２の可能な実装では、前記送信モジュールは、具体的に、前記オペレーティングシステム層において、前記データチャネルを用いることにより、伝送制御プロトコル／インターネットプロトコルＴＣＰ／ＩＰ処理の実行された前記第１情報を前記ベースバンド層へ転送し、前記無線インタフェースに対応する前記ＤＲＢを用いることにより、前記ベースバンド層から前記ネットワーク側装置へ前記第１情報を送信するよう構成される。
【０００８】
本発明の実施形態の第１の態様の第１の可能な実装を参照して、本発明の実施形態の第１の態様の第３の可能な実装では、
前記ベースバンド層は、ＴＣＰプロキシモジュールを含み、
前記送信モジュールは、具体的に、前記データチャネルを用いることにより、前記オペレーティングシステム層において、ＴＣＰ／ＩＰプロトコル処理の実行された前記第１情報を前記ＴＣＰプロキシモジュールへ転送し、前記ベースバンド層において、前記ＴＣＰプロキシモジュールを用いることにより、前記第１情報を復元し、前記ＲＲＣシグナリングを用いることにより、前記ベースバンド層から前記ネットワーク側装置へ前記第１情報を送信するよう構成される。
【０００９】
本発明の実施形態の第１の態様の第１の可能な実装を参照して、本発明の実施形態の第１の態様の第４の可能な実装では、
前記送信モジュールは、具体的に、前記オペレーティングシステム層において、前記データチャネルを用いることにより、ユーザデータグラムプロトコル／インターネットプロトコルＵＤＰ／ＩＰ処理の実行された前記第１情報を前記ベースバンド層へ転送し、前記無線インタフェースに対応する前記ＤＲＢを用いることにより、前記ベースバンド層から前記ネットワーク側装置へ前記第１情報をマルチキャストするよう構成される。
【００１０】
本発明の実施形態の第１の態様の第１の可能な実装を参照して、本発明の実施形態の第１の態様の第５の可能な実装では、
前記ベースバンド層は、ＵＤＰプロキシモジュールを含み、
前記送信モジュールは、具体的に、前記データチャネルを用いることにより、前記オペレーティングシステム層において、ＵＤＰ／ＩＰプロトコル処理の実行された前記第１情報を前記ＵＤＰプロキシモジュールへ転送し、前記ベースバンド層において、前記ＵＤＰプロキシモジュールを用いることにより、前記第１情報を復元し、前記ＲＲＣシグナリングを用いることにより、前記ベースバンド層から前記ネットワーク側装置へ前記第１情報を送信するよう構成される。
【００１１】
本発明の実施形態の第１の態様の第１の可能な実装を参照して、本発明の実施形態の第１の態様の第６の可能な実装では、前記送信モジュールは、具体的に、前記オペレーティングシステム層において、前記ＡＴコマンドを用いることにより、前記第１情報を前記ベースバンド層へ転送し、前記ＲＲＣシグナリングを用いることにより、前記ベースバンド層から前記ネットワーク側装置へ前記第１情報を送信するよう構成される。
【００１２】
本発明の実施形態の第１の態様、第１の態様の第１乃至第６の可能な実装を参照して、本発明の実施形態の第１の態様の第７の可能な実装では、
ＲＡＣモジュールは、ソフトウェア方式で前記アプリケーション層において各アプリケーションに組み込まれ、前記ＲＡＣモジュールは、前記対応するアプリケーションのパラメータ情報を取得するよう構成される、又は、
前記ＲＡＣモジュールは、前記アプリケーション層にある独立型アプリケーションモジュールであり、前記アプリケーション層にある全てのアプリケーションのパラメータ情報を取得するよう構成される。
【００１３】
本発明の実施形態の第１の態様を参照して、本発明の実施形態の第１の態様の第８の可能な実装では、
前記ＲＡＣモジュールは、前記オペレーティングシステム層に位置し、
前記ＲＡＣモジュールは、具体的に、前記ＡＰＩインタフェースを用いることにより、前記アプリケーション層から前記第１情報を取得するよう構成され、
前記送信モジュールは、具体的に、前記オペレーティングシステム層において、データチャネルを用いることにより、前記ベースバンド層へ前記第１情報を転送し、前記無線インタフェースに対応する前記ＤＲＢを用いることにより、前記ベースバンド層から前記ネットワーク側装置へ前記第１情報を送信するよう構成される。
【００１４】
本発明の実施形態の第１の態様を参照して、本発明の実施形態の第１の態様の第９の可能な実装では、
前記ＲＡＣモジュールは、前記オペレーティングシステム層に位置し、
前記ＲＡＣモジュールは、具体的に、前記ＡＰＩインタフェースを用いることにより、前記アプリケーション層から前記第１情報を取得するよう構成され、
前記送信モジュールは、具体的に、前記オペレーティングシステム層において、ＡＴコマンドを用いることにより、前記ベースバンド層へ前記第１情報を転送し、前記ＲＲＣシグナリングを用いることにより、前記ベースバンド層から前記ネットワーク側装置へ前記第１情報を送信するよう構成される。
【００１５】
本発明の実施形態の第１の態様を参照して、本発明の実施形態の第１の態様の第１０の可能な実装では、
前記ＲＡＣモジュールは、前記ベースバンド層に位置し、
前記ＲＡＣモジュールは、前記アプリケーション層と前記ベースバンド層との間の層間インタフェースを用いることにより、前記アプリケーション層から前記第１情報を取得するよう構成され、前記層間インタフェースは、前記ベースバンド層と前記アプリケーション層との間の直接データ交換のために使用され、又は、
前記オペレーティングシステム層は、前記ＡＰＩインタフェースを用いることにより、前記アプリケーション層から前記第１情報を取得し、
前記ＲＡＣモジュールは、具体的に、ＡＴコマンドを用いることにより、前記オペレーティングシステム層から前記第１情報を取得するよう構成され、
前記送信モジュールは、具体的に、前記ベースバンド層において、前記ＲＲＣシグナリングを用いることにより、前記ネットワーク側装置へ前記第１情報を送信するよう構成される。
【００１６】
本発明の実施形態の第１の態様、第１の態様の第１乃至第１０の可能な実装を参照して、本発明の実施形態の第１の態様の第１１の可能な実装では、
前記ＲＡＣモジュールは、前記ＵＥのトランスポート層パラメータ情報を取得するよう更に構成され、
前記第１情報は、前記ＵＥの前記トランスポート層パラメータ情報を更に含む。
【００１７】
本発明の実施形態の第１の態様、第１の態様の第１乃至第１１の可能な実装を参照して、本発明の実施形態の第１の態様の第１２の可能な実装では、
前記ユーザ機器は、
前記ネットワーク側装置により送信された調整アプリケーション層パラメータ情報を受信するよう構成される受信モジュールと、
前記調整アプリケーション層パラメータ情報に従い前記ＵＥのアプリケーション動作を調整するよう構成される調整モジュールと、を更に含む。
【００１８】
本発明の実施形態の第２の態様は、ネットワーク側装置であって、
ＲＲＣシグナリング又はＤＲＢベアラを用いることにより、ＵＥから第１情報を取得するよう構成される取得モジュールであって、前記第１情報は、前記ＵＥのアプリケーション層パラメータ情報を含む、取得モジュールと、
前記第１情報をパースするよう構成されるＲＡＣモジュールと、
調整アプリケーション層パラメータ情報を取得するために、現在ネットワーク状態に従い前記パースされた第１情報を調整して、ＲＲＣシグナリング又はＤＲＢを用いることにより前記ＵＥへ前記調整アプリケーション層パラメータ情報をフィードバックする、又は前記第１情報を用いることによりアプリケーション動作を実行するよう構成される処理モジュールと、を含むネットワーク側装置を提供する。
【００１９】
本発明の実施形態の第２の態様を参照して、本発明の実施形態の第２の態様の第１の可能な実装では、前記ネットワーク側装置は、基地局又はモバイルエッジコンピューティングＭＥＣエンティティである。
【００２０】
本発明の実施形態の第３の態様は、アプリケーション層パラメータ情報を送信する方法であって、
前記ＵＥにより、第１情報を取得するステップであって、前記第１情報は、前記ＵＥのアプリケーション層パラメータ情報を含む、ステップと、
前記ＵＥにより、ＲＲＣシグナリング又はＤＲＢを用いることにより、前記ネットワーク側装置へ前記第１情報を送信するステップと、を含む方法を提供する。
【００２１】
本発明の実施形態の第３の態様を参照して、本発明の実施形態の第３の態様の第１の可能な実装では、
前記ＵＥは、無線アクセスネットワーク・アクセス通信ＲＡＣモジュールを含み、前記ＲＡＣモジュールは、前記ＵＥのアプリケーション層、オペレーティングシステム層、又はベースバンド層に位置し、前記ＲＡＣモジュールは、前記第１情報を取得するよう構成される。
【００２２】
本発明の実施形態の第３の態様の第１の可能な実装を参照して、本発明の実施形態の第３の態様の第２の可能な実装では、
前記ＲＡＣモジュールは、前記アプリケーション層に位置し、
前記ＵＥにより、前記ネットワーク側装置へ前記第１情報を送信する前記ステップは、
前記ＵＥにより、前記ＲＡＣモジュールを用いることにより、前記アプリケーション層と前記オペレーティングシステム層との間のＡＰＩインタフェースを通じて、前記オペレーティングシステム層へ前記第１情報を転送するステップと、
前記ＵＥにより、前記オペレーティングシステム層において、ＡＴコマンド又はデータチャネルを用いることにより、前記ベースバンド層へ前記第１情報を転送し、前記ＲＲＣシグナリング又は無線インタフェースに対応するＤＲＢを用いることにより、前記ベースバンド層から前記ネットワーク側装置へ前記第１情報を送信するステップと、を含む。
【００２３】
本発明の実施形態の第３の態様の第２の可能な実装を参照して、本発明の実施形態の第３の態様の第３の可能な実装では、前記ＵＥにより、前記オペレーティングシステム層において、ＡＴコマンド又はデータチャネルを用いることにより、前記ベースバンド層へ前記第１情報を転送し、前記ベースバンド層から前記ネットワーク側装置へ前記第１情報を送信するステップは、
前記ＵＥにより、前記オペレーティングシステム層において、前記データチャネルを用いることにより、伝送制御プロトコル／インターネットプロトコルＴＣＰ／ＩＰ処理の実行された前記第１情報を前記ベースバンド層へ転送し、前記無線インタフェースに対応する前記ＤＲＢを用いることにより、前記ベースバンド層から前記ネットワーク側装置へ前記第１情報を送信するステップ、を含む。
【００２４】
本発明の実施形態の第３の態様の第２の可能な実装を参照して、本発明の実施形態の第３の態様の第４の可能な実装では、
前記ベースバンド層は、ＴＣＰプロキシモジュールを含み、
前記ＵＥにより、前記オペレーティングシステム層において、ＡＴコマンド又はデータチャネルを用いることにより、前記ベースバンド層へ前記第１情報を転送し、前記ベースバンド層から前記ネットワーク側装置へ前記第１情報を送信する前記ステップは、
前記ＵＥにより、前記オペレーティングシステム層において、前記データチャネルを用いることにより、ＴＣＰ／ＩＰプロトコル処理の実行された前記第１情報を前記ＴＣＰプロキシモジュールへ転送するステップと、
前記ＵＥにより、前記ベースバンド層において、前記ＴＣＰプロキシモジュールを用いることにより、前記第１情報を復元し、前記ＲＲＣシグナリングを用いることにより、前記ベースバンド層から前記ネットワーク側装置へ前記第１情報を送信するステップと、を含む。
【００２５】
本発明の実施形態の第３の態様の第２の可能な実装を参照して、本発明の実施形態の第３の態様の第５の可能な実装では、
前記ＵＥにより、前記オペレーティングシステム層において、ＡＴコマンド又はデータチャネルを用いることにより、前記ベースバンド層へ前記第１情報を転送し、前記ベースバンド層から前記ネットワーク側装置へ前記第１情報を送信するステップは、
前記ＵＥにより、前記オペレーティングシステム層において、前記データチャネルを用いることにより、ユーザデータグラムプロトコル／インターネットプロトコルＵＤＰ／ＩＰ処理の実行された前記第１情報を前記ベースバンド層へ転送し、前記無線インタフェースに対応する前記ＤＲＢを用いることにより、前記ベースバンド層から前記ネットワーク側装置へ前記第１情報をマルチキャストするステップ、を含む。
【００２６】
本発明の実施形態の第３の態様の第２の可能な実装を参照して、本発明の実施形態の第３の態様の第６の可能な実装では、
前記ベースバンド層は、ＵＤＰプロキシモジュールを含み、
前記ＵＥにより、前記オペレーティングシステム層において、ＡＴコマンド又はデータチャネルを用いることにより、前記ベースバンド層へ前記第１情報を転送し、前記ベースバンド層から前記ネットワーク側装置へ前記第１情報を送信する前記ステップは、
前記ＵＥにより、前記オペレーティングシステム層において、前記データチャネルを用いることにより、ＵＤＰ／ＩＰプロトコル処理の実行された前記第１情報を前記ＵＤＰプロキシモジュールへ転送するステップと、
前記ＵＥにより、前記ベースバンド層において、前記ＵＤＰプロキシモジュールを用いることにより、前記第１情報を復元し、前記ＲＲＣシグナリングを用いることにより、前記ベースバンド層から前記ネットワーク側装置へ前記第１情報を送信するステップと、を含む。
【００２７】
本発明の実施形態の第３の態様の第２の可能な実装を参照して、本発明の実施形態の第３の態様の第７の可能な実装では、
前記ＵＥにより、前記オペレーティングシステム層において、ＡＴコマンド又はデータチャネルを用いることにより、前記ベースバンド層へ前記第１情報を転送し、前記ベースバンド層から前記ネットワーク側装置へ前記第１情報を送信する前記ステップは、
前記ＵＥにより、前記オペレーティングシステム層において、前記ＡＴコマンドを用いることにより、前記第１情報を前記ベースバンド層へ転送し、前記ＲＲＣシグナリングを用いることにより、前記ベースバンド層から前記ネットワーク側装置へ前記第１情報を送信するステップ、を含む。
【００２８】
本発明の実施形態の第３の態様の第１の可能な実装を参照して、本発明の実施形態の第３の態様の第８の可能な実装では、
前記ＲＡＣモジュールは、前記オペレーティングシステム層に位置し、
前記ＵＥにより、前記ＲＡＣモジュールを用いることにより、前記第１情報を取得する前記ステップは、
前記ＲＡＣモジュールにより、前記ＡＰＩインタフェースを用いることにより、前記アプリケーション層から前記第１情報を取得するステップ、を含み、
前記ＵＥにより、前記ネットワーク側装置へ前記第１情報を送信する前記ステップは、
前記ＵＥにより、前記オペレーティングシステム層において、データチャネルを用いることにより前記ベースバンド層へ前記第１情報を転送し、無線インタフェースに対応するＤＲＢを用いることにより、前記ベースバンド層から前記ネットワーク側装置へ前記第１情報を送信するステップ、を含む。
【００２９】
本発明の実施形態の第３の態様の第１の可能な実装を参照して、本発明の実施形態の第３の態様の第９の可能な実装では、
前記ＲＡＣモジュールは、前記オペレーティングシステム層に位置し、
前記ＵＥにより、前記ＲＡＣモジュールを用いることにより、前記第１情報を取得する前記ステップは、
前記ＲＡＣモジュールにより、前記ＡＰＩインタフェースを用いることにより、前記アプリケーション層から前記第１情報を取得するステップ、を含み、
前記ＵＥにより、前記ネットワーク側装置へ前記第１情報を送信する前記ステップは、
前記ＵＥにより、前記オペレーティングシステム層において、ＡＴコマンドを用いることにより前記ベースバンド層へ前記第１情報を転送し、前記ＲＲＣシグナリングを用いることにより、前記ベースバンド層から前記ネットワーク側装置へ前記第１情報を送信するステップ、を含む。
【００３０】
本発明の実施形態の第３の態様の第１の可能な実装を参照して、本発明の実施形態の第３の態様の第１０の可能な実装では、
前記ＲＡＣモジュールは前記ベースバンド層に位置し、
前記ＵＥにより、前記ＲＡＣモジュールを用いることにより、前記第１情報を取得する前記ステップは、
前記ＲＡＣモジュールにより、前記アプリケーション層と前記ベースバンド層との間の層間インタフェースを用いることにより、前記アプリケーション層から前記第１情報を取得するステップであって、前記層間インタフェースは、前記ベースバンド層と前記アプリケーション層との間の直接データ交換のために使用される、ステップ、を含み、又は、
前記ＵＥにより、前記ＲＡＣモジュールを用いることにより、前記第１情報を取得する前記ステップは、
前記ＵＥにより、前記オペレーティングシステム層において、前記ＡＰＩインタフェースを用いることにより、前記アプリケーション層から前記第１情報を取得するステップと、
前記ＲＡＣモジュールにより、ＡＴコマンドを用いることにより、前記オペレーティングシステム層から前記第１情報を取得するステップと、を含み、
前記ＵＥにより、前記ネットワーク側装置へ前記第１情報を送信する前記ステップは、
前記ＵＥにより、前記ベースバンド層において、前記ＲＲＣシグナリングを用いることにより、前記ネットワーク側装置へ前記第１情報を送信するステップ、を含む。
【００３１】
本発明の実施形態の第３の態様、第３の態様の第１乃至第１０の可能な実装を参照して、本発明の実施形態の第３の態様の第１１の可能な実装では、
前記ＲＡＣモジュールは、前記ＵＥのトランスポート層パラメータ情報を取得するよう更に構成され、
前記第１情報は、前記ＵＥの前記トランスポート層パラメータ情報を更に含む。
【００３２】
本発明の実施形態の第３の態様の第１の可能な実装乃至第３の態様の第１１の可能な実装を参照して、本発明の実施形態の第３の態様の第１２の可能な実装では、前記方法は、
前記ＵＥにより、前記ネットワーク側装置により送信された調整アプリケーション層パラメータ情報を受信するステップと、
前記ＵＥにより、前記調整アプリケーション層パラメータ情報に従い前記ＵＥのアプリケーション動作を調整するステップと、を更に含む。
【００３３】
本発明の実施形態の第４の態様は、アプリケーション層パラメータ情報を受信する方法であって、
前記ネットワーク側装置により、ＲＲＣシグナリング又はＤＲＢを用いることにより、ＵＥから第１情報を取得するステップであって、前記第１情報は、前記ＵＥのアプリケーション層パラメータ情報を含む、ステップと、
前記ネットワーク側装置により、前記第１情報をパースするステップと、
前記ネットワーク側装置により、調整アプリケーション層パラメータ情報を取得するために、現在ネットワーク状態に従い前記パースされた第１情報を調整して、前記調整アプリケーション層パラメータ情報を前記ＵＥにフィードバックする、又は、前記ネットワーク側装置により、前記第１情報を用いることによりアプリケーション動作を実行する、ステップと、を含む方法を提供する。
【００３４】
本発明の実施形態の第４の態様を参照して、本発明の実施形態の第４の態様の第１の可能な実装では、
前記ネットワーク側装置は、ＲＡＣモジュールを含み、前記ＲＡＣモジュールは前記第１情報をパースするよう構成される。
【００３５】
本発明の実施形態の第５の態様は、通信システムであって、ユーザ機器と、マスタｅＮｏｄｅＢと、セカンダリｅＮｏｄｅＢと、を含み、前記マスタｅＮｏｄｅＢ及び前記セカンダリｅＮｏｄｅＢは、前記ユーザ機器に同時に供することが可能であり、前記マスタｅＮｏｄｅＢ及び前記セカンダリｅＮｏｄｅＢの間には、シグナリング及びデータを交換するために使用されるＸ２インタフェースがあり、
前記ユーザ機器は、第１の態様のいずれか１つに記載のユーザ機器であり、
前記マスタｅＮｏｄｅＢは、前記ユーザ機器によりＲＲＣシグナリング又はＤＲＢを用いることにより送信された第１情報を取得し、前記Ｘ２インタフェースを用いることにより前記セカンダリｅＮｏｄｅＢへ前記第１情報を送信し、並びに、
前記セカンダリｅＮｏｄｅＢは、調整アプリケーションパラメータ情報を取得するために、現在ネットワーク状態に従い前記第１情報を調整し、前記Ｘ２インタフェースを用いることにより、前記調整アプリケーションパラメータ情報を前記マスタｅＮｏｄｅＢへ送信し、及び、
前記マスタｅＮｏｄｅＢは、ＲＲＣシグナリング又はＤＲＢを用いることにより、前記ＵＥへ前記調整アプリケーションパラメータ情報をフィードバックする、又は、
前記セカンダリｅＮｏｄｅＢは、前記第１情報を用いることにより、アプリケーション動作を実行する、
通信システムを提供する。
【００３６】
本発明の実施形態は以下の利点を有することが、前述の技術的ソリューションから分かる。
【００３７】
本発明の本実施形態によると、無線アクセスネットワーク通信ＲＡＣモジュールは、ＵＥのアプリケーション層パラメータを取得するために、ユーザ機器のアプリケーション層、オペレーティングシステム層、又はベースバンド層に配置され、取得されたアプリケーション層パラメータは、ネットワーク側装置がアプリケーション層パラメータに従い処理又は動作を実行できるように、ＲＲＣシグナリング又は無線インタフェースに対応するＤＲＢを用いることによりネットワーク側装置へ送信される。本発明の実施形態によると、ネットワーク側装置がユーザ機器側のアプリケーション層パラメータを取得し及び相応して調整又は動作を実行できるように、アプリケーション層パラメータ情報は、ネットワーク側装置とＵＥの上位層との間で交換される。これはユーザ経験を向上する。
【図面の簡単な説明】
【００３８】
【図１】２種類の無線インタフェース・プロトコルスタックのアーキテクチャの概略図である。
【図２】本発明の一実施形態によるＵＥの概略構造図である。
【図３−１】本発明の実施形態によるＵＥの一実施形態の概略図である。
【図３−２】本発明の実施形態によるネットワーク側装置と相互作用するＵＥの一実施形態の概略図である。
【図３−３】本発明の実施形態によるネットワーク側装置と相互作用するＵＥの別の実施形態の概略図である。
【図３−４】本発明の実施形態によるネットワーク側装置と相互作用するＵＥの別の実施形態の概略図である。
【図３−５】本発明の実施形態によるネットワーク側装置と相互作用するＵＥの別の実施形態の概略図である。
【図３−６】本発明の実施形態によるネットワーク側装置と相互作用するＵＥの別の実施形態の概略図である。
【図３−７】本発明の実施形態によるネットワーク側装置と相互作用するＵＥの別の実施形態の概略図である。
【図３−８】本発明の実施形態によるネットワーク側装置と相互作用するＵＥの別の実施形態の概略図である。
【図３−９】本発明の実施形態によるネットワーク側装置と相互作用するＵＥの別の実施形態の概略図である。
【図４−１】本発明の実施形態によるネットワーク側装置の一実施形態の概略図である。
【図４−２】本発明の実施形態による、ネットワーク側装置がＭＥＣエンティティである一実施形態の概略図である。
【図５】本発明の一実施形態によるアプリケーション層パラメータ情報を送信する方法の概略図である。
【図６】本発明の一実施形態によるアプリケーション層パラメータ情報を受信する方法の概略図である。
【図７】本発明の一実施形態によるアプリケーション層パラメータ情報を受信する方法の別の概略図である。
【発明を実施するための形態】
【００３９】
本発明の実施形態は、ネットワーク側装置がユーザ機器側のアプリケーション層パラメータ情報を取得し及び相応して調整又は動作を実行できるように、ネットワーク側装置とＵＥの上位層との間でアプリケーション層パラメータ情報を交換するために、アプリケーション層パラメータ情報を送信する方法、アプリケーション層パラメータ情報を受信する方法、及び装置を提供する。これはユーザ経験を向上する。
【００４０】
当業者に本発明の技術的ソリューションをより良く理解させるために、以下は、本発明の実施形態における技術的ソリューションを本発明の実施形態における添付の図面を参照して明確且つ完全に記載する。明らかに、記載される実施形態は、本発明の実施形態の一部のみであり、全ての実施形態ではない。本発明の実施形態に基づき創造的労力を有しないで当業者により得られる全ての他の実施形態は、本発明の保護範囲に包含される。
【００４１】
本発明の明細書、請求項、及び添付の図面において、用語「第１」、「第２」、等は（それらが存在する場合には）、類似するオブジェクト間を区別することを意図し、必ずしも特定の順序又は順番を示さない。理解されるべきことに、このように命名されたデータは、適正な環境において同義である。したがって、本願明細書に記載の実施形態は、本願明細書に図示され又は記載された順序以外の順序で実施可能である。さらに、用語「含む」、「有する」、及び任意の他の変形は、非排他的包含をカバーすること、例えばステップ若しくはユニットのリストを含む処理、方法、システム、製品、又は装置が必ずしも該ステップ若しくはユニットに限定されないが、そのような処理、方法、システム、製品、又は装置のような明示的にリストされ又はそれに特有でない他のステップ若しくはユニットを含み得ることを意味する。
【００４２】
以下は、先ず、本発明の実施形態で使用され得る幾つかの要素を記載する。
【００４３】
ＲＲＣ（Radio  Resource  Control）：無線リソース制御。ＵＥ及びネットワーク側装置は、ＲＲＣシグナリングを用いることにより、ＲＲＣ層において互いに相互作用して良い。
【００４４】
ＰＤＣＰ（Packet  Data  Convergence  Protocol）：パケットデータ・コンバージェンス・プロトコル。ＰＤＣＰ層において、ＵＥ及びネットワーク側装置は、ＩＰヘッダ圧縮／伸長を実行し、送信ユーザデータに対して暗号化／解読及び完全性保護を実行して良い。各無線ベアラは、ＰＤＣＰエンティティに対応する。
【００４５】
ＲＬＣ（Radio  Link  Control）：無線リンク制御層プロトコルであって、セグメント化及び接続、再送処理、高位層データの逐次的転送を担う。ＲＬＣ層は、無線ベアラを用いることによりＰＤＣＰ層を提供し、ＲＬＣエンティティは無線ベアラ毎に構成される。
【００４６】
ＭＡＣ：媒体アクセス制御（Media  Access  Control、ＭＡＣ）層。ＭＡＣ層は、論理チャネルを使用することによりＲＬＣ層を提供する。
【００４７】
ＰＨＹ物理層：符号化及び復号化、変調及び復調、マルチアンテナマッピング、及び別の電気通信物理層機能を担う。物理層は、トランスポートチャネルを使用することによりＭＡＣ層を提供する。
【００４８】
以下は、本発明の実施形態を記載する。
【００４９】
図１に示すように、ＬＴＥ無線インタフェース・プロトコルスタック・アーキテクチャは、ＬＴＥネットワークアーキテクチャの中のデータフロー及びシグナリングフローの方向に従い、制御プレーン無線インタフェース・プロトコル・アーキテクチャ及びユーザプレーン無線インタフェース・プロトコル・アーキテクチャに分類される。
【００５０】
本発明の実施形態では、通信システムは、ユーザ機器及び少なくとも１つのネットワーク側装置を含む。図２に示すように、ユーザ機器ＵＥは、アプリケーション層、オペレーティングシステム層、及びベースバンド層を含む。情報は、アプリケーション・プログラミング・インタフェース（Application  Programming  Interface、ＡＰＩ）を用いることにより、アプリケーション層とオペレーティングシステム層との間で転送されて良い。情報は、データチャネル又はＡＴ（Attention）命令を用いることにより、オペレーティングシステム層とベースバンド層との間で転送されて良い。ネットワーク側装置は基地局であって良く、又はネットワーク側装置はモバイルエッジコンピューティング（Mobile−Edge  Computing、ＭＥＣ）エンティティであって良い。通常、ネットワーク側装置と情報を交換するとき、ユーザ機器は、ベースバンド層の無線リソース制御（Radio  Resource  Control、ＲＲＣ）層で、ＲＲＣシグナリングを用いることによりネットワーク側装置と情報を交換し、又はユーザ機器の無線インタフェースのデータ無線ベアラ（Data  Radio  Bearer、ＤＲＢ）を用いることにより、ネットワーク側装置と情報を交換して良い。
【００５１】
以下は、本発明の実施形態におけるユーザ機器の一実施形態を記載する。
【００５２】
図３−１を参照すると、本発明の実施形態におけるユーザ機器ＵＥ３００の一実施形態は、無線アクセスネットワーク・アクセス通信（Radio  Access  Network−Access−Communication）ＲＡＣモジュール３０１、及び送信モジュール３０２を含む。ＲＡＣモジュール３０１は、ＵＥのアプリケーション層、オペレーティングシステム層、又はベースバンド層に位置する。
【００５３】
ＲＡＣモジュール３０１は、第１情報を取得するよう構成され、第１情報は、ユーザ機器ＵＥのアプリケーション層パラメータ情報を含む。
【００５４】
送信モジュール３０２は、無線リソース制御ＲＲＣシグナリング又は無線インタフェースに対応するデータ無線ベアラＤＲＢを用いることにより、ＲＡＣモジュール３０１により取得された第１情報をネットワーク側装置へ送信するよう構成される。
【００５５】
アプリケーション層パラメータは、ＵＥのアプリケーション層にあるアプリケーションに対応するパラメータである。例えば、ボイス・オーバ・インターネットプロトコル（Voice  over  Internet  Protocol、ＶｏＩＰ）アプリケーションでは、アプリケーション層パラメータは、ＶｏＩＰサービス送信レート、サービスパケットの中の冗長情報（第１データパケットがサービスフレーム１及び２を含み、第２データパケットがサービスフレーム２及び３を含み、サービスフレーム２が２つのデータパケット内に存在するので、サービスフレーム２が冗長情報である）、サービスパケットのサイズ（何個のサービスフレームがデータパケットに含まれるか）であって良い。
【００５６】
本発明の本実施形態によると、無線アクセス通信ＲＡＣモジュールは、ＵＥのアプリケーション層パラメータを取得するために、ユーザ機器のアプリケーション層、オペレーティングシステム層、又はベースバンド層に配置され、取得されたアプリケーション層パラメータは、ネットワーク側装置がアプリケーション層パラメータに従い処理又は動作を実行できるように、ＲＲＣシグナリング又は無線インタフェースに対応するＤＲＢを用いることによりネットワーク側装置へ送信される。本発明の本実施形態によると、ネットワーク側装置がユーザ機器側のアプリケーション層パラメータを取得し及び相応して調整又は動作を実行できるように、ＵＥのアプリケーション層パラメータ情報は、ネットワーク側装置とＵＥとの間で交換される。これはユーザ経験を向上する。
【００５７】
本発明の幾つかの実施形態では、ＲＡＣモジュール３０１はアプリケーション層に位置する。任意で、ＲＡＣモジュール３０１は、以下の方法でアプリケーション層に配置される。ＲＡＣモジュール３０１は、ソフトウェア方式でアプリケーション層にある各アプリケーションに組み込まれて良く、ＲＡＣモジュール３０１は、対応するアプリケーションのパラメータ情報を取得するよう構成される。勿論、ＲＡＣモジュール３０１は、代替で、アプリケーション層にある独立型アプリケーションモジュールであって良く、アプリケーション層にある全てのアプリケーションのパラメータ情報を取得するよう構成されて良い。
【００５８】
送信モジュールは、具体的に、ＲＡＣモジュール３０１を用いることにより、アプリケーション層にあるアプリケーションプログラミングインタフェースＡＰＩを通じて、オペレーティングシステム層へ第１情報を転送し、オペレーティングシステム層において、ＡＴコマンド又はデータチャネルを用いることにより、ベースバンド層へ第１情報を転送し、ＲＲＣシグナリング又は無線インタフェースに対応するＤＲＢを用いることにより、ベースバンド層からネットワーク側装置へ第１情報を送信するよう構成される。
【００５９】
任意で、送信モジュール３０２は、具体的に、オペレーティングシステム層において、データチャネルを用いることにより、伝送制御プロトコル／インターネットプロトコルＴＣＰ／ＩＰ処理の実行された第１情報をベースバンド層へ転送し、無線インタフェースに対応するＤＲＢを用いることにより、ベースバンド層からネットワーク側装置へ第１情報を送信するよう構成される。
【００６０】
一実装は図３−２に示される。図３−２では、ＲＡＣモジュール３０１は、ソフトウェア方式でアプリケーション層にある各アプリケーションに組み込まれて良く、ＲＡＣモジュール３０１は、対応するアプリケーションパラメータ情報を取得するよう構成される。図中、ＡＰＰ１及びＡＰＰ２は、それぞれ、アプリケーション層にある１つのアプリケーションを表す。留意すべきことに、図では一例として２つのアプリケーションのみが使用され、ここで限定は設けられない。送信モジュールは、具体的に、ＲＡＣモジュール３０１を用いることにより、アプリケーション層にあるアプリケーションプログラミングインタフェースＡＰＩを通じて、オペレーティングシステム層へ第１情報を転送し、オペレーティングシステム層において、データチャネルを用いることにより、ベースバンド層へ、ＴＣＰ／ＩＰ処理の実行された第１情報を転送し、無線インタフェースに対応するＤＲＢを用いることにより、ベースバンド層からネットワーク側装置へ第１情報を送信するよう構成される。
【００６１】
任意で、ベースバンド層は、ＴＣＰプロキシモジュールを含む。
【００６２】
送信モジュールは、具体的に、データチャネルを用いることにより、オペレーティングシステム層において、ＴＣＰ／ＩＰプロトコル処理の実行された第１情報をＴＣＰプロキシモジュールへ転送し、ベースバンド層において、ＴＣＰプロキシモジュールを用いることにより、第１情報を復元し、ＲＲＣシグナリングを用いることにより、ベースバンド層からネットワーク側装置へ第１情報を送信するよう構成される。
【００６３】
一実装は図３−３に示される。図３−３では、ＲＡＣモジュール３０１は、ソフトウェア方式でアプリケーション層にある各アプリケーションに組み込まれて良く、ＲＡＣモジュール３０１は、対応するアプリケーションパラメータ情報を取得するよう構成される。送信モジュールは、具体的に、ＲＡＣモジュール３０１を用いることにより、アプリケーションプログラミングインタフェースＡＰＩを通じて、オペレーティングシステム層へ第１情報を転送し、オペレーティングシステム層において、データチャネルを用いることにより、ベースバンド層にあるＴＣＰプロキシモジュールへ、ＴＣＰ／ＩＰ処理の実行された第１情報を転送し、ベースバンド層において、ＴＣＰプロキシモジュールを用いることにより、第１情報を復元し、ＲＲＣシグナリングを用いることにより、ベースバンド層からネットワーク側装置へ第１情報を送信するよう構成される。
【００６４】
任意で、送信モジュール３０２は、具体的に、オペレーティングシステム層において、データチャネルを用いることにより、ユーザデータグラムプロトコル／インターネットプロトコルＵＤＰ／ＩＰ処理の実行された第１情報をベースバンド層へ転送し、無線インタフェースに対応するＤＲＢを用いることにより、ベースバンド層からネットワーク側装置へ第１情報をマルチキャストするよう構成される。
【００６５】
一実装は図３−４に示される。図３−４では、ＲＡＣモジュール３０１は、アプリケーション層にある独立型アプリケーションモジュールであって良く、アプリケーション層にある全てのアプリケーションのパラメータ情報を取得するよう構成される。同様に、図中、例えば、アプリケーション層には２つのアプリケーションだけがある。送信モジュール３０２は、具体的に、ＲＡＣモジュールを用いることにより、アプリケーション層にあるアプリケーションプログラミングインタフェースＡＰＩを通じて、オペレーティングシステム層へ第１情報を転送し、オペレーティングシステム層において、データチャネルを用いることにより、ベースバンド層へ、ユーザＵＤＰ／ＩＰ処理の実行された第１情報を転送し、無線インタフェースに対応するＤＲＢを用いることにより、ベースバンド層からネットワーク側装置へ第１情報をマルチキャストするよう構成される。
【００６６】
任意で、ベースバンド層は、ＵＤＰプロキシモジュールを含む。
【００６７】
送信モジュール３０２は、具体的に、データチャネルを用いることにより、オペレーティングシステム層において、ＵＤＰ／ＩＰプロトコル処理の実行された第１情報をＵＤＰプロキシモジュールへ転送し、ベースバンド層において、ＵＤＰプロキシモジュールを用いることにより、第１情報を復元し、ＲＲＣシグナリングを用いることにより、ベースバンド層からネットワーク側装置へ第１情報を送信するよう構成される。
【００６８】
一実装は図３−５に示される。図３−５では、ＲＡＣモジュール３０１は、アプリケーション層にある独立型アプリケーションモジュールであって良く、アプリケーション層にある全てのアプリケーションのパラメータ情報を取得するよう構成される。同様に、図中、例えば、アプリケーション層には２つのアプリケーションだけがある。送信モジュール３０２は、具体的に、ＲＡＣモジュールを用いることにより、アプリケーション層にあるアプリケーションプログラミングインタフェースＡＰＩを通じて、オペレーティングシステム層へ第１情報を転送し、オペレーティングシステム層において、データチャネルを用いることにより、ＵＤＰプロキシモジュールへ、ＵＤＰ／ＩＰプロトコル処理の実行された第１情報を転送し、ベースバンド層において、ＵＤＰプロキシモジュールを用いることにより、第１情報を復元し、ＲＲＣシグナリングを用いることにより、ベースバンド層からネットワーク側装置へ第１情報を送信するよう構成される。
【００６９】
任意で、送信モジュール３０２は、具体的に、オペレーティングシステム層において、ＡＴコマンドを用いることにより、第１情報をベースバンド層へ転送し、ＲＲＣシグナリングを用いることにより、ベースバンド層からネットワーク側装置へ第１情報を送信するよう構成される。
【００７０】
一実装は図３−６に示される。図３−６では、ＲＡＣモジュール３０１は、アプリケーション層にある独立型アプリケーションモジュールであって良く、アプリケーション層にある全てのアプリケーションのパラメータ情報を取得するよう構成される。同様に、図中、例えば、アプリケーション層には２つのアプリケーションだけがある。送信モジュール３０２は、具体的に、ＲＡＣモジュールを用いることにより、アプリケーション層にあるアプリケーションプログラミングインタフェースＡＰＩを通じて、オペレーティングシステム層へ第１情報を転送し、オペレーティングシステム層において、ＡＴコマンドを用いることにより、ベースバンド層へ第１情報を転送し、ＲＲＣシグナリングを用いることにより、ベースバンド層からネットワーク側装置へ第１情報を送信するよう構成される。
【００７１】
本発明の幾つかの他の実施形態では、ＲＡＣモジュール３０１はオペレーティングシステム層に位置する。
【００７２】
ＲＡＣモジュール３０１は、具体的に、ＡＰＩインタフェースを用いることにより、アプリケーション層から第１情報を取得するよう構成される。
【００７３】
送信モジュール３０２は、具体的に、オペレーティングシステム層において、データチャネルを用いることにより、第１情報をベースバンド層へ転送し、無線インタフェースに対応するＤＲＢを用いることにより、ベースバンド層からネットワーク側装置へ第１情報を送信するよう構成される。
【００７４】
一実装は図３−７に示される。ＲＡＣモジュール３０１は、具体的に、ＡＰＩインタフェースを用いることにより、アプリケーション層から第１情報を取得し、オペレーティングシステム層において、データチャネルを用いることにより、第１情報をベースバンド層へ転送し、無線インタフェースに対応するＤＲＢを用いることにより、ベースバンド層からネットワーク側装置へ第１情報を直接送信するよう構成される。
【００７５】
本発明の幾つかの他の実施形態では、ＲＡＣモジュール３０１はオペレーティングシステム層に位置する。
【００７６】
一実装は図３−８に示される。ＲＡＣモジュール３０１は、具体的に、ＡＰＩインタフェースを用いることにより、アプリケーション層から第１情報を取得するよう構成される。送信モジュール３０２は、具体的に、オペレーティングシステム層において、ＡＴコマンドを用いることにより、第１情報をベースバンド層へ転送し、ＲＲＣシグナリングを用いることにより、ベースバンド層からネットワーク側装置へ第１情報を送信するよう構成される。
【００７７】
本発明の幾つかの他の実施形態では、ＲＡＣモジュール３０１はベースバンド層に位置する。
【００７８】
ＲＡＣモジュール２０１は、アプリケーション層とベースバンド層との間の層間インタフェースを用いることにより、アプリケーション層から第１情報を取得するよう構成される。層間インタフェースは、ベースバンド層とアプリケーション層との間の直接データ交換のために使用される。
【００７９】
代替で、オペレーティングシステム層は、ＡＰＩインタフェースを用いることによりアプリケーション層から第１情報を取得する。
【００８０】
ＲＡＣモジュール３０１は、具体的に、ＡＴコマンドを用いることにより、オペレーティングシステム層から第１情報を取得するよう構成される。
【００８１】
送信モジュール３０２は、具体的に、ベースバンド層において、ＲＲＣシグナリングを用いることにより、ネットワーク側装置へ第１情報を送信するよう構成される。
【００８２】
一実装は図３−９に示される。ベースバンド層において、ＲＡＣモジュールは第１情報を取得する。第１情報を取得する複数の方法がある。ある方法では、第１情報は、アプリケーション層とベースバンド層との間の直接データ交換のために使用される層間インタフェースを用いることにより、アプリケーション層からベースバンド層へ転送される。具体的に、ＲＡＣモジュール２０１は、層間インタフェースを用いることによりアプリケーション層から第１情報を取得し、次に、送信モジュール３０２がベースバンド層においてＲＲＣシグナリングを用いることによりネットワーク側装置へ第１情報を送信する。別の方法では、アプリケーション層とベースバンド層との間の層間インタフェースは使用されず、代わりに伝統的な方法が使用される。つまり、アプリケーション層、オペレーティングシステム層、及びベースバンド層において使用される既存データ送信方法が別個に使用される。具体的に、オペレーティングシステム層はＡＰＩインタフェースを用いることによりアプリケーション層から第１情報を取得し、ベースバンド層にあるＲＡＣモジュール３０１はＡＴコマンドを用いることによりオペレーティングシステム層から第１情報を取得し、次に、送信モジュール３０２は、ベースバンド層において、ＲＲＣシグナリングを用いることによりネットワーク側装置へ第１情報を送信する。
【００８３】
任意で、前述の実施形態では、ＲＡＣモジュール３０１は、ＵＥのトランスポート層パラメータ情報を取得するよう更に構成される。第１情報は、ＵＥのトランスポート層パラメータ情報を更に含む。
【００８４】
任意で、ユーザ機器は、
ネットワーク側装置により送信されたアプリケーションパラメータ調整情報を受信するよう構成される受信モジュールであって、アプリケーションパラメータ調整情報は、ネットワーク側装置が第１情報をパースし調整した後にネットワーク側装置により送信されて良い、受信モジュールと、
アプリケーションパラメータ調整情報に従いＵＥのアプリケーション動作を調整するよう構成される調整モジュールと、を更に含む。
【００８５】
例えば、送信端ＵＥは、ＲＲＣシグナリング又はデータ送信ベアラＤＲＢを用いることにより、ネットワーク側装置ｅＮＢへ、送信端ＵＥ及び受信端ＵＥにより交渉により決定された音声サービス情報を送信して良い。音声サービス情報は、音声サービスの送信レート、音声サービスの送信された冗長情報、音声サービスのフレーミング情報、等を含む。次に、ｅＮＢは、チャネル状態情報及びｅＮＢの負荷に従い、ＵＥの音声サービス情報を調整する。例えば、ｅＮＢが過負荷である又はチャネル品質が良好でない場合、ｅＮＢは、音声サービスの送信レートを低減するようＵＥに要求して良く、次に、ｅＮＢは、処理のためにＵＥに調整パラメータ情報を返す。
【００８６】
以下は、本発明の実施形態におけるネットワーク側装置の一実施形態を記載する。
【００８７】
図４−１を参照すると、本発明の実施形態におけるネットワーク側装置４００の一実施形態は、
ＲＲＣシグナリング又はＤＲＢベアラを用いることにより、ＵＥから第１情報を取得するよう構成される取得モジュール４０１であって、第１情報は、ＵＥのアプリケーション層パラメータ情報を含む、取得モジュール４０１と、
第１情報をパースするよう構成されるＲＡＣモジュール４０２と、
調整アプリケーション層パラメータ情報を取得するために、現在ネットワーク状態に従いパースされた第１情報を調整して、ＲＲＣシグナリング又はＤＲＢを用いることによりＵＥへ調整アプリケーション層パラメータ情報をフィードバックする、又は第１情報を用いることによりアプリケーション動作を実行するよう構成される処理モジュール４０３と、を含む。
【００８８】
現在ネットワーク状態は、現在無線インタフェース信号品質、ネットワーク負荷状態、等のうちの少なくとも１つであって良い。
【００８９】
処理モジュールにより、第１情報を用いることによりアプリケーション動作を実行することは、処理モジュールにより、現在ネットワーク状態に従い、音声サービスの送信レート、音声サービスの送信された冗長情報、音声サービスのフレーミング情報、等を含む、ユーザ機器によりサポートされる音声サービスに関する情報に対して調整を実行することであって良い。例えば、ネットワーク側装置が基地局であるとき、基地局が過負荷である又はチャネル品質が良好でない場合、処理モジュールは、ユーザ機器の音声サービスの送信レートを低減し、低減した送信レートをＵＥにフィードバックして良い。
【００９０】
本発明の本実施形態によると、ＵＥのアプリケーション層パラメータを取得するよう構成される無線アクセス通信ＲＡＣモジュールは、ユーザ機器のアプリケーション層、オペレーティングシステム層、又はベースバンド層に配置され、取得されたアプリケーション層パラメータは、ネットワーク側装置がＵＥにより送信されたアプリケーション層パラメータ情報を取得できるように、ＲＲＣシグナリング又は無線インタフェースに対応するＤＲＢを用いることによりネットワーク側装置へ送信され、ネットワーク側装置は、アプリケーション層パラメータに従い処理又は動作を実行する。本発明の本実施形態によると、ネットワーク側装置がユーザ機器側のアプリケーション層パラメータを取得し及び相応して調整又は動作を実行できるように、ＵＥのアプリケーション層パラメータ情報は、ネットワーク側装置とＵＥとの間で交換される。これはユーザ経験を向上する。
【００９１】
本発明の本実施形態では、取得モジュール４０１は、ＲＲＣシグナリング又はＤＲＢベアラを用いることにより、ＵＥから第１情報を取得する。これは、ＵＥが第１情報をネットワーク側装置へ送信する方法に対応する。例えば、ＵＥがＲＲＣシグナリングを用いることにより第１情報をネットワーク側装置へ送信する場合、ネットワーク側装置は、取得モジュール４０１を用いることにより、ＵＥにより送信されたＲＲＣシグナリングを受信し、受信した第１情報をＲＡＣモジュール４０２へ転送し、ＲＡＣモジュール４０２は第１情報をパースする。同様に、ＵＥが無線インタフェースに対応するＤＲＢを用いることにより第１情報をネットワーク側装置へ送信する場合、ネットワーク側装置は、取得モジュール４０１を用いることにより、ＵＥの対応するＤＲＢベアラを介して送信された第１情報を受信し、第１情報をＲＡＣモジュール４０２へ転送し、ＲＡＣモジュール４０２は第１情報をパースする。
【００９２】
任意で、ネットワーク側装置は、基地局又はモバイルエッジコンピューティングＭＥＣエンティティである。
【００９３】
図４−２に示すように、ネットワーク側装置がＭＥＣエンティティである場合、現在ネットワーク状態情報は、基地局によりＭＥＣエンティティへ送信される。つまり、ＭＥＣエンティティは、基地局により送信された現在ネットワーク状態情報を受信するよう更に構成される。
【００９４】
二重接続（ＤＣ、Dual  Connectivity）シナリオでは、ＵＥは、２つの基地局（マスタｅＮｏｄｅＢ  ＭｅＮＢ及びセカンダリｅＮｏｄｅＢ  ＳｅＮＢ）とのデータ送信を同時に実行して良い。具体的に、ＤＣシナリオでは、ＵＥは、先ずＭｅＮＢにランダムにアクセスし、ＵＥは、ＭｅＮＢの測定構成に従い無線リソース管理（Radio  Resource  Management、ＲＲＭ）測定及び報告を実行し、ＭｅＮＢは、ＵＥの測定及び報告結果に従い、ＵＥのセカンダリｅＮｏｄｅＢとしてＳｅＮＢを構成する。このように、ＵＥは、２つの基地局と同時に通信できる。ＤＣシナリオでは、ＵＥがＭｅＮＢのカバレッジエリア内を移動するならば、ハンドオーバは生じない。
【００９５】
二重接続（ＤＣ、Dual  Connectivity）シナリオでは、本発明の本実施形態において、ネットワーク側装置はマスタｅＮｏｄｅＢ  ＭｅＮＢである。マスタｅＮｏｄｅＢ  ＭｅＮＢは、Ｘ２インタフェース（マスタｅＮｏｄｅＢ  ＭｅＮＢとセカンダリｅＮｏｄｅＢ  ＳｅＮＢとの間のシグナリング及びデータ交換のために使用される、マスタｅＮｏｄｅＢとセカンダリｅＮｏｄｅＢとの間のインタフェース）を用いることにより、セカンダリｅＮｏｄｅＢ  ＳｅＮＢへ受信した第１情報を送信する。ある方法では、セカンダリｅＮｏｄｅＢ  ＳｅＮＢは、アプリケーションパラメータ情報調整情報を得るために、現在ネットワーク状態に従い第１情報を調整し、Ｘ２インタフェースを用いることにより、調整アプリケーション調整情報をマスタｅＮｏｄｅＢ  ＭｅＮＢへ送信し、マスタｅＮｏｄｅＢ  ＭｅＮＢは、ＲＲＣシグナリング又はＤＲＢを用いることにより、調整アプリケーション層パラメータ情報をＵＥにフィードバックする。別の方法では、セカンダリｅＮｏｄｅＢ  ＳｅＮＢは、第１情報を用いることによりアプリケーション動作を実行する。
【００９６】
本発明の一実施形態では、ユーザ機器、マスタｅＮｏｄｅＢ、及びセカンダリｅＮｏｄｅＢを含む通信システムが更に提供される。マスタｅＮｏｄｅＢ及びセカンダリｅＮｏｄｅＢは、ユーザ機器に同時に供することができ、マスタｅＮｏｄｅＢとセカンダリｅＮｏｄｅＢとの間には、シグナリング及びデータを交換するために使用されるＸ２インタフェースがある。
【００９７】
ユーザ機器は、前述の実施形態のうちのいずれか１つに従うユーザ機器である。
【００９８】
マスタｅＮｏｄｅＢは、ユーザ機器によりＲＲＣシグナリング又はＤＲＢを用いることにより送信された第１情報を取得し、Ｘ２インタフェースを用いることにより、セカンダリｅＮｏｄｅＢへ第１情報を送信する。
【００９９】
セカンダリｅＮｏｄｅＢは、調整アプリケーションパラメータ情報を得るために、現在ネットワーク状態に従い第１情報を調整し、Ｘ２インタフェースを用いることにより、調整アプリケーションパラメータ情報をマスタｅＮｏｄｅＢへ送信する。
【０１００】
マスタｅＮｏｄｅＢは、ＲＲＣシグナリング又はＤＲＢを用いることにより、ＵＥへ調整アプリケーションパラメータ情報をフィードバックする。
【０１０１】
代替で、セカンダリｅＮｏｄｅＢは、第１情報を用いることによりアプリケーション動作を実行する。
【０１０２】
セカンダリｅＮｏｄｅＢにより、第１情報を用いることによりアプリケーション動作を実行する特定の処理は、図４に示した実施形態において、処理モジュールにより、第１情報を用いることによりアプリケーション動作を実行するものと同様である。詳細事項は、ここで繰り返されない。
【０１０３】
以下は、本発明の実施形態におけるアプリケーション層パラメータ情報を送信する方法の一実施形態を記載する。
【０１０４】
図５を参照すると、本発明の一実施形態による、アプリケーション層パラメータ情報を送信する方法は、以下のステップを含む。
【０１０５】
５０１。ＵＥは第１情報を取得し、第１情報はＵＥのアプリケーション層パラメータ情報を含む。
【０１０６】
ＵＥは、無線アクセスネットワーク・アクセス通信ＲＡＣモジュールを含んで良い。ＲＡＣモジュールは、ＵＥのアプリケーション層、オペレーティングシステム層、又はベースバンド層に位置し、ＲＡＣモジュールは、第１情報を取得するよう構成される。
【０１０７】
５０２。ＵＥは、ＲＲＣシグナリング又はＤＲＢを用いることにより、ネットワーク側装置へ第１情報を送信する。
【０１０８】
本発明の本実施形態によると、ユーザ機器は、ＵＥのアプリケーション層パラメータを取得し、ＲＲＣシグナリング又は無線インタフェースに対応するＤＲＢを用いることにより、取得したアプリケーション層パラメータをネットワーク側装置へ送信し、ネットワーク側装置がアプリケーション層パラメータに従い処理又は動作を実行できるようにする。本発明の本実施形態によると、ネットワーク側装置がユーザ機器側のアプリケーション層パラメータを取得し及び相応して調整又は動作を実行できるように、ＵＥのアプリケーション層パラメータ情報は、ネットワーク側装置とＵＥとの間で交換される。これはユーザ経験を向上する。
【０１０９】
本発明の幾つかの実施形態では、ＲＡＣモジュールはアプリケーション層に位置して良い。
【０１１０】
この場合、ＵＥにより、ネットワーク側装置へ第１情報を送信するステップは、
ＵＥにより、ＲＡＣモジュールを用いることにより、ＡＰＩインタフェースを通じて、オペレーティングシステム層へ第１情報を転送するステップと、
ＵＥにより、オペレーティングシステム層において、ＡＴコマンド又はデータチャネルを用いることにより、ベースバンド層へ第１情報を転送し、ＲＲＣシグナリング又は無線インタフェースに対応するＤＲＢを用いることにより、ベースバンド層からネットワーク側装置へ第１情報を送信するステップと、を含む。
【０１１１】
任意で、ＵＥにより、オペレーティングシステム層において、ＡＴコマンド又はデータチャネルを用いることにより、ベースバンド層へ第１情報を転送し、ベースバンド層からネットワーク側装置へ第１情報を送信するステップは、
ＵＥにより、オペレーティングシステム層において、データチャネルを用いることにより、伝送制御プロトコル／インターネットプロトコルＴＣＰ／ＩＰ処理の実行された第１情報をベースバンド層へ転送し、無線インタフェースに対応するＤＲＢを用いることにより、ベースバンド層からネットワーク側装置へ第１情報を送信するステップ、を含んで良い。
【０１１２】
任意で、ベースバンド層は、ＴＣＰプロキシモジュールを含んで良い。
【０１１３】
この場合、ＵＥにより、オペレーティングシステム層において、ＡＴコマンド又はデータチャネルを用いることにより、ベースバンド層へ第１情報を転送し、ベースバンド層からネットワーク側装置へ第１情報を送信するステップは、
ＵＥにより、オペレーティングシステム層において、データチャネルを用いることにより、ＴＣＰ／ＩＰプロトコル処理の実行された第１情報をＴＣＰプロキシモジュールへ転送するステップと、
ＵＥにより、ベースバンド層において、ＴＣＰプロキシモジュールを用いることにより、第１情報を復元し、ＲＲＣシグナリングを用いることにより、ベースバンド層からネットワーク側装置へ第１情報を送信するステップと、を含む。
【０１１４】
任意で、ＵＥにより、オペレーティングシステム層において、ＡＴコマンド又はデータチャネルを用いることにより、ベースバンド層へ第１情報を転送し、ベースバンド層からネットワーク側装置へ第１情報を送信するステップは、
ＵＥにより、オペレーティングシステム層において、データチャネルを用いることにより、ユーザデータグラムプロトコル／インターネットプロトコルＵＤＰ／ＩＰ処理の実行された第１情報をベースバンド層へ転送し、無線インタフェースに対応するＤＲＢを用いることにより、ベースバンド層からネットワーク側装置へ第１情報をマルチキャストするステップ、を含んで良い。
【０１１５】
任意で、ベースバンド層は、ＵＤＰプロキシモジュールを含んで良い。
【０１１６】
この場合、ＵＥにより、オペレーティングシステム層において、ＡＴコマンド又はデータチャネルを用いることにより、ベースバンド層へ第１情報を転送し、ベースバンド層からネットワーク側装置へ第１情報を送信するステップは、
ＵＥにより、オペレーティングシステム層において、データチャネルを用いることにより、ＵＤＰ／ＩＰプロトコル処理の実行された第１情報をＵＤＰプロキシモジュールへ転送するステップと、
ＵＥにより、ベースバンド層において、ＵＤＰプロキシモジュールを用いることにより、第１情報を復元し、ＲＲＣシグナリングを用いることにより、ベースバンド層からネットワーク側装置へ第１情報を送信するステップと、を含む。
【０１１７】
任意で、ＵＥにより、オペレーティングシステム層において、ＡＴコマンド又はデータチャネルを用いることにより、ベースバンド層へ第１情報を転送し、ベースバンド層からネットワーク側装置へ第１情報を送信するステップは、
ＵＥにより、オペレーティングシステム層において、ＡＴコマンドを用いることにより、第１情報をベースバンド層へ転送し、ＲＲＣシグナリングを用いることにより、ベースバンド層からネットワーク側装置へ第１情報を送信するステップ、を含む。
【０１１８】
本発明の幾つかの他の実施形態では、ＲＡＣモジュールは代替でオペレーティングシステム層に位置して良い。
【０１１９】
ＵＥにより、ＲＡＣモジュールを用いることにより第１情報を取得するステップは、
ＲＡＣモジュールにより、ＡＰＩインタフェースを用いることによりアプリケーション層から第１情報を取得するステップ、を含む。
【０１２０】
ＵＥにより、第１情報をネットワーク側装置へ送信するステップは、
ＵＥにより、オペレーティングシステム層において、データチャネルを用いることにより第１情報をベースバンド層へ転送し、無線インタフェースに対応するＤＲＢを用いることにより、ベースバンド層からネットワーク側装置へ第１情報を送信するステップ、を含む。
【０１２１】
本発明の幾つかの他の実施形態では、ＲＡＣモジュールは代替でオペレーティングシステム層に位置して良い。
【０１２２】
ＵＥにより、ＲＡＣモジュールを用いることにより第１情報を取得するステップは、
ＲＡＣモジュールにより、ＡＰＩインタフェースを用いることによりアプリケーション層から第１情報を取得するステップ、を含む。並びに。
【０１２３】
ＵＥにより、第１情報をネットワーク側装置へ送信するステップは、
ＵＥにより、オペレーティングシステム層において、ＡＴコマンドを用いることによりベースバンド層へ第１情報を転送し、ＲＲＣシグナリングを用いることによりベースバンド層からネットワーク側装置へ第１情報を送信するステップ、を含む。
【０１２４】
本発明の幾つかの他の実施形態では、ＲＡＣモジュールは代替でベースバンド層に位置して良い。
【０１２５】
ＵＥにより、ＲＡＣモジュールを用いることにより、第１情報を取得するステップは、
ＲＡＣモジュールにより、アプリケーション層とオペレーティングシステム層との間の層間インタフェースを用いることにより、アプリケーション層から第１情報を取得するステップであって、層間インタフェースは、ベースバンド層とアプリケーション層との間の直接データ交換のために使用される、ステップ、を含む。
【０１２６】
代替で、ＵＥにより、ＲＡＣモジュールを用いることにより第１情報を取得するステップは、
ＵＥにより、オペレーティングシステム層において、ＡＰＩインタフェースを用いることによりアプリケーション層から第１情報を取得するステップと、
ＲＡＣモジュールにより、ＡＴコマンドを用いることにより、オペレーティングシステム層から第１情報を取得するステップと、を含む。
【０１２７】
ＵＥにより、ネットワーク側装置へ第１情報を送信するステップは、
ＵＥにより、ベースバンド層において、ＲＲＣシグナリングを用いることによりネットワーク側装置へ第１情報を送信するステップ、を含む。
【０１２８】
前述の実施形態では、任意で、ＲＡＣモジュールは、ＵＥのトランスポート層パラメータ情報を取得するよう更に構成される。第１情報は、ＵＥのトランスポート層パラメータ情報を更に含んで良い。
【０１２９】
前述の実施形態では、任意で、方法は、
ＵＥにより、ネットワーク側装置により送信されたアプリケーションパラメータ調整情報を受信するステップと、
ＵＥにより、アプリケーションパラメータ調整情報に従いＵＥのアプリケーション動作を調整するステップと、を更に含む。
【０１３０】
以下は、本発明の実施形態による、アプリケーション層パラメータ情報を受信する方法を記載する。
【０１３１】
図６を参照すると、本発明の実施形態におけるアプリケーション層パラメータ情報を受信する方法の一実施形態は以下のステップを含む。
【０１３２】
６０１。ネットワーク側装置は、ＲＲＣシグナリング又はＤＲＢを用いることにより、ＵＥから第１情報を取得する。ここで、第１情報は、ＵＥのアプリケーション層パラメータ情報を含む。
【０１３３】
６０２。ネットワーク側装置は、第１情報をパースする。
【０１３４】
６０３。ネットワーク側装置は、アプリケーションパラメータ調整情報を得るために、現在ネットワーク状態に従いパースした第１情報を調整し、調整アプリケーション層パラメータ情報をＵＥにフィードバックする。
【０１３５】
図７を参照すると、本発明の実施形態におけるアプリケーション層パラメータ情報を受信する方法の別の実施形態は以下のステップを含む。
【０１３６】
７０１。ネットワーク側装置は、ＲＲＣシグナリング又はＤＲＢを用いることにより、ＵＥから第１情報を取得する。ここで、第１情報は、ＵＥのアプリケーション層パラメータ情報を含む。
【０１３７】
７０２。ネットワーク側装置は、第１情報をパースする。
【０１３８】
７０３。ネットワーク側装置は、第１情報を用いることによりアプリケーション動作を実行する。
【０１３９】
図６及び図７の実施形態では、ネットワーク側装置は、ＲＡＣモジュールを含んで良く、ＲＡＣモジュールは第１情報をパースするよう構成される。
【０１４０】
便宜上及び簡潔な説明のために、前述のシステム、装置、及びユニットの詳細な動作処理については、前述の方法における対応する処理を参照して良く、詳細事項はここで再び記載されないことが、当業者により明らかに理解され得る。
【０１４１】
本発明の一実施形態は、コンピュータ記憶媒体を更に提供する。コンピュータ記憶媒体はプログラムを格納して良い。プログラムは、前述の方法の実施形態におけるアプリケーション層パラメータ情報を送信する方法又はアプリケーション層パラメータ情報を受信する方法の少なくとも幾つかの又は全部のステップを含む。
【０１４２】
前述の実施形態では、各実施形態の記載はそれぞれの焦点を有する。ある実施形態において詳細に記載されない部分については、他の実施形態における関連する記載を参照して良い。
【０１４３】
本願により提供される幾つかの実施形態では、開示のシステム、機器、及び方法は他の方法で実装されて良いことが理解されるべきである。例えば、記載した装置の実施形態は単なる一例である。例えば、ユニットの分割は、単なる論理的機能の区分であり、実際の実装では他の区分であって良い。例えば、複数のユニット又はコンポーネントは、別のシステムに結合又は統合されて良い。或いは、幾つかの機能は無視されるか又は実行されなくて良い。追加で、示された又は議論された相互結合、又は直接結合、又は通信接続は、幾つかのインタフェース、機器又はユニット間の間接結合又は通信接続であって良く、又は電気的、機械的、又は他の形式で実装されて良い。
【０１４４】
別個の部分として記載されたユニットは、物理的に別個であって良く又はそうでなくて良い。また、ユニットとして表示された部分は、物理的なユニットであって良く又はそうでなくて良く、１カ所に置かれて良く或いは複数のネットワークユニットに分散されて良い。一部又は全部のユニットは、実施形態のソリューションの目的を達成するために実際の要件に応じて選択されて良い。
【０１４５】
さらに、本発明の実施形態における機能ユニットは、１つの処理ユニットに統合されて良く、或いは各ユニットが物理的に単独で存在して良く、或いは２以上のユニットが１つのユニットに統合されて良い。統合ユニットは、ハードウェアの形式で実装されて良く、ソフトウェア機能ユニットの形式で実装されて良い。
【０１４６】
統合ユニットがソフトウェア機能ユニットの形式で実装され、独立した製品として販売され又は使用されるとき、統合ユニットは、コンピュータ可読記憶媒体に格納されて良い。このような理解に基づき、本発明の基本的技術的ソリューション、又は従来技術に貢献する部分、又は全部又は一部の技術的ソリューションは、ソフトウェア製品の形式で実施されても良い。ソフトウェア製品は、記憶媒体に格納され、コンピュータ装置（パーソナルコンピュータ、サーバ、ネットワーク装置、等であって良い）に、本発明の実施形態で記載された方法のステップの全部又は一部を実行するよう指示する複数の命令を含む。前述の記憶媒体は、ＵＳＢフラッシュドライブ、取り外し可能ハードディスク、読み出し専用メモリ（ROM、Read−Only  Memory）、ランダムアクセスメモリ（RAM、Random  Access  Memory）、磁気ディスク又は光ディスクのような、プログラムコードを格納可能な任意の媒体を含む。
【０１４７】
前述の実施形態は、本発明を限定するのではなく、単に本発明の技術的ソリューションを説明することを目的とする。本発明は、前述の実施形態を参照して詳細に説明されたが、当業者は、本発明の実施形態の技術的ソリューションの精神及び範囲から逸脱することなく、彼らが前述の実施形態で説明した技術的ソリューションに変更を行い、又はそれら実施形態の幾つかの技術的特徴を等価に置換できることを理解する。
【図１】
2018527860.tif 000003
【図２】
2018527860.tif 000004
【図３−１】
2018527860.tif 000005
【図３−２】
2018527860.tif 000006
【図３−３】
2018527860.tif 000007
【図３−４】
2018527860.tif 000008
【図３−５】
2018527860.tif 000009
【図３−６】
2018527860.tif 000010
【図３−７】
2018527860.tif 000011
【図３−８】
2018527860.tif 000012
【図３−９】
2018527860.tif 000013
【図４−１】
2018527860.tif 000014
【図４−２】
2018527860.tif 000015
【図５】
2018527860.tif 000016
【図６】
2018527860.tif 000017
【図７】
2018527860.tif 000018
【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
ユーザ機器、ＵＥ、であって、無線アクセスネットワーク・アクセス通信、ＲＡＣ、モジュールと送信モジュールとを含み、前記ＲＡＣモジュールは、前記ＵＥのアプリケーション層、オペレーティングシステム層、又はベースバンド層に位置し、
前記ＲＡＣモジュールは、第１情報を取得するよう構成され、前記第１情報は前記ＵＥのアプリケーション層パラメータ情報を含み、
前記送信モジュールは、無線リソース制御、ＲＲＣ、シグナリング又は無線インタフェースに対応するデータ無線ベアラ、ＤＲＢ、を用いることにより、前記ＲＡＣモジュールにより取得された第１情報をネットワーク側装置へ送信するよう構成される、
ユーザ機器。
【請求項２】
前記ＲＡＣモジュールは、前記アプリケーション層に位置し、
前記送信モジュールは、具体的に、前記ＲＡＣモジュールを用いることにより、前記アプリケーション層と前記オペレーティングシステム層との間のアプリケーションプログラミングインタフェースＡＰＩを通じて、前記オペレーティングシステム層へ前記第１情報を転送し、前記オペレーティングシステム層において、ＡＴコマンド又はデータチャネルを用いることにより、前記ベースバンド層へ前記第１情報を転送し、前記ＲＲＣシグナリング又は前記無線インタフェースに対応する前記ＤＲＢを用いることにより、前記ベースバンド層から前記ネットワーク側装置へ前記第１情報を送信するよう構成される、
請求項１に記載のユーザ機器。
【請求項３】
前記ＲＡＣモジュールは、前記ＵＥのトランスポート層パラメータ情報を取得するよう更に構成され、
前記第１情報は、前記ＵＥの前記トランスポート層パラメータ情報を更に含む、
請求項１又は２に記載のユーザ機器。
【請求項４】
前記ユーザ機器は、
前記ネットワーク側装置により送信された調整アプリケーション層パラメータ情報を受信するよう構成される受信モジュールと、
前記調整アプリケーション層パラメータ情報に従い前記ＵＥのアプリケーション動作を調整するよう構成される調整モジュールと、
を更に含む請求項１乃至３のいずれか一項に記載のユーザ機器。
【請求項５】
アプリケーション層パラメータ情報を送信する方法であって、前記方法は、
ＵＥにより、第１情報を取得するステップであって、前記第１情報は、前記ＵＥのアプリケーション層パラメータ情報を含む、ステップと、
前記ＵＥにより、ＲＲＣシグナリング又はＤＲＢを用いることにより、ネットワーク側装置へ前記第１情報を送信するステップと、
を含む方法。
【請求項６】
前記ＵＥは、無線アクセスネットワーク・アクセス通信ＲＡＣモジュールを含み、前記ＲＡＣモジュールは、前記ＵＥのアプリケーション層、オペレーティングシステム層、又はベースバンド層に位置し、前記ＲＡＣモジュールは、前記第１情報を取得するよう構成される、
請求項５に記載の方法。
【請求項７】
前記ＲＡＣモジュールは、前記アプリケーション層に位置し、
前記ＵＥにより、前記ネットワーク側装置へ前記第１情報を送信する前記ステップは、
前記ＵＥにより、前記ＲＡＣモジュールを用いることにより、前記アプリケーション層と前記オペレーティングシステム層との間のＡＰＩインタフェースを通じて、前記オペレーティングシステム層へ前記第１情報を転送するステップと、
前記ＵＥにより、前記オペレーティングシステム層において、ＡＴコマンド又はデータチャネルを用いることにより、前記ベースバンド層へ前記第１情報を転送し、前記ＲＲＣシグナリング又は無線インタフェースに対応するＤＲＢを用いることにより、前記ベースバンド層から前記ネットワーク側装置へ前記第１情報を送信するステップと、
を含む、請求項６に記載の方法。
【請求項８】
前記ＲＡＣモジュールは、前記オペレーティングシステム層に位置し、
前記ＵＥにより、前記ＲＡＣモジュールを用いることにより、前記第１情報を取得する前記ステップは、
前記ＲＡＣモジュールにより、前記ＡＰＩインタフェースを用いることにより、前記アプリケーション層から前記第１情報を取得するステップ、を含み、
前記ＵＥにより、前記ネットワーク側装置へ前記第１情報を送信する前記ステップは、
前記ＵＥにより、前記オペレーティングシステム層において、データチャネルを用いることにより前記ベースバンド層へ前記第１情報を転送し、無線インタフェースに対応するＤＲＢを用いることにより、前記ベースバンド層から前記ネットワーク側装置へ前記第１情報を送信するステップ、を含む、
請求項７に記載の方法。
【請求項９】
前記ＲＡＣモジュールは、前記オペレーティングシステム層に位置し、
前記ＵＥにより、前記ＲＡＣモジュールを用いることにより、前記第１情報を取得する前記ステップは、
前記ＲＡＣモジュールにより、前記ＡＰＩインタフェースを用いることにより、前記アプリケーション層から前記第１情報を取得するステップ、を含み、
前記ＵＥにより、前記ネットワーク側装置へ前記第１情報を送信する前記ステップは、
前記ＵＥにより、前記オペレーティングシステム層において、ＡＴコマンドを用いることにより前記ベースバンド層へ前記第１情報を転送し、前記ＲＲＣシグナリングを用いることにより、前記ベースバンド層から前記ネットワーク側装置へ前記第１情報を送信するステップ、を含む、
請求項７に記載の方法。
【請求項１０】
前記ＲＡＣモジュールは前記ベースバンド層に位置し、
前記ＵＥにより、前記ＲＡＣモジュールを用いることにより、前記第１情報を取得する前記ステップは、
前記ＲＡＣモジュールにより、前記アプリケーション層と前記ベースバンド層との間の層間インタフェースを用いることにより、前記アプリケーション層から前記第１情報を取得するステップであって、前記層間インタフェースは、前記ベースバンド層と前記アプリケーション層との間の直接データ交換のために使用される、ステップ、を含み、又は、
前記ＵＥにより、前記ＲＡＣモジュールを用いることにより、前記第１情報を取得する前記ステップは、
前記ＵＥにより、前記オペレーティングシステム層において、前記ＡＰＩインタフェースを用いることにより、前記アプリケーション層から前記第１情報を取得するステップと、
前記ＲＡＣモジュールにより、ＡＴコマンドを用いることにより、前記オペレーティングシステム層から前記第１情報を取得するステップと、
を含み、
前記ＵＥにより、前記ネットワーク側装置へ前記第１情報を送信する前記ステップは、
前記ＵＥにより、前記ベースバンド層において、前記ＲＲＣシグナリングを用いることにより、前記ネットワーク側装置へ前記第１情報を送信するステップ、を含む、
請求項７に記載の方法。
【請求項１１】
前記ＲＡＣモジュールは、前記ＵＥのトランスポート層パラメータ情報を取得するよう更に構成され、
前記第１情報は、前記ＵＥの前記トランスポート層パラメータ情報を更に含む、
請求項６乃至１０のいずれか一項に記載の方法。
【請求項１２】
前記方法は、
前記ＵＥにより、前記ネットワーク側装置により送信された調整アプリケーション層パラメータ情報を受信するステップと、
前記ＵＥにより、前記調整アプリケーション層パラメータ情報に従い前記ＵＥのアプリケーション動作を調整するステップと、
を更に含む請求項５乃至１１のいずれか一項に記載の方法。
【請求項１３】
通信システムであって、ユーザ機器と、マスタｅＮｏｄｅＢと、セカンダリｅＮｏｄｅＢと、を含み、前記マスタｅＮｏｄｅＢ及び前記セカンダリｅＮｏｄｅＢは、前記ユーザ機器に同時に供することが可能であり、前記マスタｅＮｏｄｅＢ及び前記セカンダリｅＮｏｄｅＢの間には、シグナリング及びデータを交換するために使用されるＸ２インタフェースがあり、
前記ユーザ機器は、請求項１乃至４のいずれか一項に記載のユーザ機器であり、
前記マスタｅＮｏｄｅＢは、前記ユーザ機器によりＲＲＣシグナリング又はＤＲＢを用いることにより送信された第１情報を取得し、前記Ｘ２インタフェースを用いることにより前記セカンダリｅＮｏｄｅＢへ前記第１情報を送信し、並びに、
前記セカンダリｅＮｏｄｅＢは、調整アプリケーションパラメータ情報を取得するために、現在ネットワーク状態に従い前記第１情報を調整し、前記Ｘ２インタフェースを用いることにより、前記調整アプリケーションパラメータ情報を前記マスタｅＮｏｄｅＢへ送信し、及び、
前記マスタｅＮｏｄｅＢは、ＲＲＣシグナリング又はＤＲＢを用いることにより、前記ＵＥへ前記調整アプリケーションパラメータ情報をフィードバックする、又は、
前記セカンダリｅＮｏｄｅＢは、前記第１情報を用いることにより、アプリケーション動作を実行する、
通信システム。
【手続補正２】
【補正対象書類名】明細書
【補正対象項目名】００４０
【補正方法】変更
【補正の内容】
【００４０】
当業者に本発明の技術的ソリューションをより良く理解させるために、以下は、本発明の実施形態における技術的ソリューションを本発明の実施形態における添付の図面を参照して明確に記載する。明らかに、記載される実施形態は、本発明の実施形態の一部のみであり、全ての実施形態ではない。本発明の実施形態に基づき創造的労力を有しないで当業者により得られる全ての他の実施形態は、本発明の保護範囲に包含される。
【手続補正３】
【補正対象書類名】明細書
【補正対象項目名】００７８
【補正方法】変更
【補正の内容】
【００７８】
ＲＡＣモジュール３０１は、アプリケーション層とベースバンド層との間の層間インタフェースを用いることにより、アプリケーション層から第１情報を取得するよう構成される。層間インタフェースは、ベースバンド層とアプリケーション層との間の直接データ交換のために使用される。
【手続補正４】
【補正対象書類名】明細書
【補正対象項目名】００８２
【補正方法】変更
【補正の内容】
【００８２】
一実装は図３−９に示される。ベースバンド層において、ＲＡＣモジュールは第１情報を取得する。第１情報を取得する複数の方法がある。ある方法では、第１情報は、アプリケーション層とベースバンド層との間の直接データ交換のために使用される層間インタフェースを用いることにより、アプリケーション層からベースバンド層へ転送される。具体的に、ＲＡＣモジュール３０１は、層間インタフェースを用いることによりアプリケーション層から第１情報を取得し、次に、送信モジュール３０２がベースバンド層においてＲＲＣシグナリングを用いることによりネットワーク側装置へ第１情報を送信する。別の方法では、アプリケーション層とベースバンド層との間の層間インタフェースは使用されず、代わりに伝統的な方法が使用される。つまり、アプリケーション層、オペレーティングシステム層、及びベースバンド層において使用される既存データ送信方法が別個に使用される。具体的に、オペレーティングシステム層はＡＰＩインタフェースを用いることによりアプリケーション層から第１情報を取得し、ベースバンド層にあるＲＡＣモジュール３０１はＡＴコマンドを用いることによりオペレーティングシステム層から第１情報を取得し、次に、送信モジュール３０２は、ベースバンド層において、ＲＲＣシグナリングを用いることによりネットワーク側装置へ第１情報を送信する。
【手続補正５】
【補正対象書類名】明細書
【補正対象項目名】０１４７
【補正方法】変更
【補正の内容】
【０１４７】
前述の実施形態は、本発明を限定するのではなく、単に本発明の技術的ソリューションを説明することを目的とする。本発明は、前述の実施形態を参照して詳細に説明されたが、当業者は、本発明の実施形態の技術的ソリューションの範囲から逸脱することなく、彼らが前述の実施形態で説明した技術的ソリューションに変更を行い、又はそれら実施形態の幾つかの技術的特徴を等価に置換できることを理解する。
【国際調査報告】
2018527860.tif 000019
2018527860.tif 000020
2018527860.tif 000021
2018527860.tif 000022